(57)【特許請求の範囲】
【請求項１】
マルチメディア・ブロードキャスト・マルチキャスト・サービス（ＭＢＭＳ）プロトコルのユーザ・サービス記述（ＵＳＤ）を具備するマルチキャスト送信を受信する無線周波数（ＲＦ）受信機であって、前記マルチキャスト送信は、記述区画と対応関係区画を具備する、ＲＦ受信機；および、
複数のマルチキャスト・コンテンツ・ストリームを具備する一つのマルチキャスト・コンテンツ・ストリーム・バンドルを前記対応関係区画に基づいて識別し、前記記述区画の中において識別された特性に基づいて、処理のために、前記複数のマルチキャスト・コンテンツ・ストリームの中の少なくとも一つを選択するように構成されたプロセッサ回路であって、前記複数のマルチキャスト・コンテンツ・ストリームの各々は、複数のコンテンツ・バージョンの中の一つに対応する、プロセッサ回路；
を具備し、
前記ＲＦ受信機は、複数のＦＬＵＴＥセッションを確立し、前記複数のＦＬＵＴＥセッションの各々は、前記複数のマルチキャスト・コンテンツ・ストリームの中の一つと対応しており、前記対応関係区画は、各々のマルチキャスト・コンテンツ・ストリーム及びそれに対応するＭＢＭＳサービスに関して、対応するＦＬＵＴＥセッションを識別する情報を具備している、
ユーザ機器（ＵＥ）。
【請求項２】
前記プロセッサ回路は、前記複数のマルチキャスト・コンテンツ・ストリームの中の一つからメディア・コンテンツをレンダリング処理し、再生処理するようにさらに構成される、請求項１記載のＵＥ。
【請求項３】
前記プロセッサ回路は、前記記述区画の中において識別された特性に基づいて、前記複数のマルチキャスト・コンテンツ・ストリームの中の一つを受信し、処理するために、一群のマルチキャスト・コンテンツ・ストリームの間で適応的に切り替えを行うようにさらに構成されている、請求項１記載のＵＥ。
【請求項４】
前記複数のマルチキャスト・コンテンツ・ストリームの各々は、マルチメディア・ブロードキャスト・マルチキャスト・サービス（ＭＢＭＳ）を具備している、請求項１記載のＵＥ。
【請求項５】
前記一つのマルチキャスト・コンテンツ・ストリーム・バンドルは、一つのＭＢＭＳサービス・バンドルを具備している、請求項４記載のＵＥ。
【請求項６】
ＤＡＳＨクライアントを具備している、請求項１記載のＵＥ。
【請求項７】
対応関係区画を表現するために、前記マルチキャスト送信がユーザ・サービス記述（ＵＳＤ）送信を具備する、請求項１記載のＵＥ。
【請求項８】
前記記述区画が、前記ＵＳＤ送信内においてＭＰＤ（Media  Presentation  Description）メタデータ・ファイルを具備している、請求項７記載のＵＥ。
【請求項９】
前記ＲＦ受信機は、マルチキャスト・コンテンツ供給元装置から、前記複数のマルチキャスト・コンテンツ・ストリームの中の一つを受信するように構成されている、請求項１記載のＵＥ。
【請求項１０】
記述区画と対応関係区画を具備するマルチキャスト送信を受信するように構成されている無線機；および、
複数のマルチキャスト・コンテンツ・ストリームを具備する一つのマルチキャスト・コンテンツ・ストリーム・バンドルを前記対応関係区画に基づいて識別し、前記記述区画の中において識別された特性に基づいて、処理のために、前記複数のマルチキャスト・コンテンツ・ストリームの中の少なくとも一つを選択するように構成されたプロセッサ回路であって、前記複数のマルチキャスト・コンテンツ・ストリームの各々は、マルチメディア・ブロードキャスト・マルチキャスト・サービス（ＭＢＭＳ）を介して通信された複数のコンテンツ・バージョンの中の一つに対応する、プロセッサ回路；
を具備し、
前記無線機は、複数のＦＬＵＴＥセッションを確立するように構成され、前記複数のＦＬＵＴＥセッションの各々は、前記複数のマルチキャスト・コンテンツ・ストリームの中の一つと対応しており、前記対応関係区画は、各々のマルチキャスト・コンテンツ・ストリーム及びそれに対応するＭＢＭＳサービスに関して、対応するＦＬＵＴＥセッションを識別する情報を具備している、
ユーザ機器（ＵＥ）。
【請求項１１】
前記プロセッサ回路は、前記選択されたマルチキャスト・コンテンツ・ストリームを具備しているＭＢＭＳサービスに対応するＦＬＵＴＥセッションを決定するように構成されている、請求項１０記載のＵＥ。
【請求項１２】
前記決定されたＦＬＵＴＥセッションに対応するＭＢＭＳサービス内における前記選択されたマルチキャスト・コンテンツ・ストリームを受信するように構成された通信コンポーネントをさらに具備する、請求項１１記載のＵＥ。
【請求項１３】
前記プロセッサ回路は、前記マルチキャスト・コンテンツ・ストリームと対応するコンテンツ・バージョンのフォーマット又は基底ビット・レートに基づいて、または、前記マルチキャスト・コンテンツ・ストリームの送信に関連したチャネル品質又は実効的なビット・レートに基づいて、前記マルチキャスト・コンテンツ・ストリームを選択するように構成されている、請求項１０記載のＵＥ。
【請求項１４】
マルチキャスト・コンテンツ・ストリームおよびＭＢＭＳサービスの各々は、ＳＶＣ（スケーラブルなビデオ符号化）ビット・ストリーム中のレイヤに対応する、請求項１０記載のＵＥ。
【請求項１５】
マルチキャスト・コンテンツ・ストリームおよびＭＢＭＳサービスの各々は、ＭＶＣ（多重ビュー・ビデオ符号化）ビット・ストリーム中のビューに対応する、請求項１０記載のＵＥ。
【請求項１６】
記述区画と対応関係区画を具備する無線データ送信を受信するように構成されている無線インターフェース；および、
１又は複数のＭＢＭＳコンテンツ・ストリームを前記対応関係区画に基づいて識別し、前記記述区画に基づいて、処理のために、前記複数のＭＢＭＳコンテンツ・ストリームの中の少なくとも一つを選択するように構成された回路であって、前記複数のＭＢＭＳコンテンツ・ストリームの各々は、複数のコンテンツ・バージョンの中の一つに対応する、回路；
を具備し、
前記無線インターフェースは、複数のＦＬＵＴＥセッションを確立するように構成され、前記複数のＦＬＵＴＥセッションの各々は、前記複数のＭＢＭＳコンテンツ・ストリームの中の一つと対応しており、前記対応関係区画は、前記複数のＭＢＭＳコンテンツ・ストリームの各々に関して、前記複数のＦＬＵＴＥセッションの中の対応する一つを識別する情報を具備している、
ユーザ機器（ＵＥ）。
【請求項１７】
前記回路は、前記複数のＭＢＭＳコンテンツ・ストリームの中の少なくとも一つを、前記複数のＭＢＭＳコンテンツ・ストリームの中の前記少なくとも一つと対応するコンテンツ・バージョンのフォーマット又は基底ビット・レートに基づいて、または、前記複数のＭＢＭＳコンテンツ・ストリームの中の前記少なくとも一つの送信に関連したチャネル品質又は実効的なビット・レートに基づいて、選択するように構成されている、請求項１６記載のＵＥ。
【請求項１８】
前記回路は、受信し、処理するために、前記記述区画の中において識別された特性に基づいて、前記複数のＭＢＭＳコンテンツ・ストリームの間で適応的に切り替えを行うようにさらに構成されている、請求項１６記載のＵＥ。
【請求項１９】
前記無線インターフェースは、前記確立されたＦＬＵＴＥセッションに対応する１又は複数のＭＢＭＳサービス内における前記選択された少なくとも一つのＭＢＭＳコンテンツ・ストリームを受信するように構成されている、請求項１６記載のＵＥ。
【請求項２０】
一つのＭＢＭＳサービス・バンドル内には複数個の前記ＭＢＭＳコンテンツ・ストリームが含まれている、請求項１６記載のＵＥ。
【請求項２１】
前記記述区画が、ＵＳＤ送信内においてＭＰＤ（Media  Presentation  Description）メタデータ・ファイルを具備している、請求項１６記載のＵＥ。
【請求項２２】
ＤＡＳＨクライアントを具備している、請求項１６記載のＵＥ。
【請求項２３】
前記複数のＭＢＭＳコンテンツ・ストリームの各々は、ＳＶＣ（スケーラブルなビデオ符号化）ビット・ストリーム中のレイヤ、またはＭＶＣ（多重ビュー・ビデオ符号化）ビット・ストリーム中のビューに対応する、請求項１６記載のＵＥ。
【発明の詳細な説明】
【技術分野】
【０００１】
本発明は、通信分野と関係し、より具体的には、メディア・コンテンツのマルチキャスト配信と関係する。
【背景技術】
【０００２】
一般的には、コンピューティング・システムは、ビデオ・ファイル、オーディオ・ファイルおよびイメージ等のような様々なタイプのメディア・コンテンツを取得し、消費するために、ユーザによって使用される。メディア・コンテンツをダウンロードし、消費する場面において、様々なコンテキストの中で使用される多数の技術および標準化方式が存在する。幾つかのそのような技術および標準化方式は、１つの送信元から１つの宛先に至るメディア・コンテンツの送信を含んでいるメディア・コンテンツのユニキャスト送信と関係する。他のそのような技術および標準化方式は、１つの送信元から多数の宛先に至るメディア・コンテンツの送信を含んでいるメディア・コンテンツのマルチキャスト配信と関係する。マルチキャスト送信には、伝達効率における改善および／または帯域幅消費量の削減を実現することが可能であるという技術的優位性がある。
【０００３】
メディア・コンテンツを消費するために使用される様々なコンピューティング・システムの能力における幅広い多様性、ユーザ登録プロフィールにおけるバリエーション、およびコンテンツ供給者側からコンテンツ消費者側へとメディア・コンテンツを送信するのに使用されるおよび通信チャンネルの品質および通信容量における変動に起因して、メディア・コンテンツの供給者側は、メディア・コンテンツの多種多様なバージョンを消費するために利用可能とすることが可能である。メディア・コンテンツ中に含まれる特定のアイテムに関する複数の異なるバージョンは、例えば、異なる基底ビット・レート、異なる解像度、異なる品質レイヤおよび／または異なるビューとそれぞれ対応することが可能である。メディア・コンテンツの各バージョンは、数多くのメディアコンテンツ消費者にとってそれぞれ適したものとすることが可能である。メディア・コンテンツの多様なバージョンを提供すると同時に、マルチキャスト送信における上述した技術的利点を有効活用するために、改善されたマルチキャスト・コンテンツ配信のための技術の実現が望ましい場合がある。
【図面の簡単な説明】
【０００４】
【図１】本発明に係る装置の一実施例と本発明に係るシステムの一実施例とを示す図
【図２】第１の送信の一実施例を示す図
【図３Ａ】対応関係セグメントの第１の実施例を示す図
【図３Ｂ】対応関係セグメントの第２の実施例を示す図
【図３Ｃ】対応関係セグメントの第３の実施例を示す図
【図３Ｄ】対応関係セグメントの第４の実施例を示す図
【図４】第２の送信の一実施例を示す図
【図５】本発明を実施するための論理フローの一実施例を示す図
【図６】本発明に係る記憶媒体の一実施例を示す図
【図７】本発明に係るコンピューティング・アーキテクチャの一実施例を示す図
【図８】本発明に係る通信システムの一実施例を示す図
【発明を実施するための形態】
【０００５】
本発明に係る様々な実施例は、一般的には、改善されたマルチキャスト・コンテンツ配信技術を対象とするものである。本発明に係る幾つかの実施例においては、例えば、本発明に係る装置は、プロセッサー回路を具備することが可能であり、さらには、記述セグメントおよび対応関係セグメントを含むデータ伝送を受信するように当該プロセッサー回路により動作させられることが可能な通信コンポーネントを具備し、対応関係セグメントに基づいてメディア・コンテンツの複数の異なるバージョンをそれぞれ表わす複数のマルチキャスト・コンテンツ・ストリームを決定するようにプロセッサー回路によって動作させられることが可能な対応関係処理コンポーネントを具備し、記述セグメント中において識別された特性に基づいて、複数のマルチキャスト・コンテンツ・ストリームの中の一つ以上を選択し、受信するようにプロセッサー回路によって動作させられることが可能な選択コンポーネントを具備することが可能である。そのような様々な実施例においては、本発明に係る装置は、記述セグメント中において識別された特性に基づいた受信と処理のために、複数のマルチキャスト・コンテンツ・ストリームの間で適応的に切り替えを行うように当該プロセッサー回路によって動作させられることが可能な適応コンポーネントを具備することが可能である。その他の実施例もまた後述され、特許請求される。
【０００６】
本明細書中に開示された技術は、１つ以上の無線モバイル広帯域技術を使用することにより、１つ以上の無線接続の上においてコンテンツを送信する動作を伴うことが可能である。無線モバイル広帯域技術の具体例には、以下のものに限定はされないが、IEEE（Institute  of  Electrical  and  Electronics  Engineers）802.16mおよびIEEE802.16pの標準化方式、3GPP（3rd  Generation  Partnership  Project）のLTE（Long  Term  Evolution）標準化方式およびLTE  ADV（LTE  -Advanced）標準化方式、IMT-ADV（International  Mobile  Telecommunications  Advanced）標準化方式の何れか、およびこれらの改訂規格方式、後継方式および変形方式が含まれ得る。他の適切な具体例には、以下のものに限定はされないが、GSM（Global  System  for  Mobile  Communications）／EDGE（Enhanced  Data  Rates  for  GSM  Evolution）技術、UMTS（Universal  Mobile  Telecommunications  System）／HSPA（High  Speed  Packet  Access）技術、WiMAX（Worldwide  Interoperability  for  Microwave  Access）技術またはWiMAX  II技術、CDMA（Code  Division  Multiple  Access）2000システム技術（例えば、CDMA2000  lxRTT、CDMA2000  EV-DOまたはCDMA  EV-DVなど）、ETSI（European  Telecommunications  Standards  Institute）のBRAN（Broadband  Radio  Access  Networks）作業部会で策定中のHIPERMAN（High  Performance  Radio  Metropolitan  Area  Network）、WiBro（Wireless  Broadband）技術、GSM/GPRS（GSM  with  GPRS（General  Packet  Radio  Service））システム技術、HSDPA（High  Speed  Downlink  Packet  Access）技術、HSOPA（High  Speed  OFDM（Orthogonal  Frequency-Division  Multiplexing）Packet  Access）技術、HSUPA（High-Speed  Uplink  Packet  Access）システム技術、３ＧＰＰリリース８及びリリース９のＬＴＥ／ＳＡＥ（System  Architecture  Evolution）に関する標準化技術などが含まれ得る。本発明に係る複数の実施例は、このコンテキストの中に制限されるものではない。
【０００７】
限定列挙の形ではなく、例示列挙するならば、本発明に係る様々な実施例は、3GPPの様々なLTE標準化方式およびLTE  ADV標準化方式を具体的に参照しながら説明することが可能であり、これらの標準化方式には、例えば、3GPP  LTEのE-UTRAN（Evolved  UMTS  Terrestrial  Radio  Access  Network）E-UTRA（Universal  Terrestrial  Radio  Access）、LTE  ADV無線技術36シリーズの技術標準化仕様（これらは、「3GPP  LTE標準化仕様」と総称される）およびIEEE  802.16標準化技術（例えば、IEEE  802.16-2009標準化仕様、IEEE  802.16-2009仕様、IEEE  802.16-h2010仕様、IEEE  802.16m-2011仕様を統合したIEEE  802.16の現行の第３改訂版標準化仕様）、「Wireless  MAN-Advanced（広帯域無線アクセス・システムのための無線インターフェース、マシン間通信（Machine-To-Machine）アプリケーションをサポートするための拡張機能）に関するIEEE標準化仕様の改訂案」と題された2012年１月発行のドラフト仕様書「IEEE  P802.16.1b/D2」を含むIEEE  802.16pドラフト標準仕様（これらは、「IEEE  802.16標準化仕様」と総称される）に加え、上述した3GPP  LTEの標準化仕様やIEEE  802.16標準化仕様の任意の暫定ドラフト、任意の改訂版または任意の変形仕様が含まれる。本発明に係る幾つかの実施例は、実装形態を限定する意味ではなく単なる例示的な意味において3GPP  LTE標準仕様あるいはIEEE  802.16標準仕様に沿ったシステムとして記述されることが可能であるが、上記以外の他の様々なタイプのモバイル広帯域通信システムやモバイル広帯域通信標準化方式として、上記以外の他のタイプの通信システムに沿った形で本発明を実施可能であることが理解されよう。本発明に係る複数の実施例は、このコンテキストの中に制限されるものではない。
【０００８】
１つ以上の無線接続の上における送信に加えて、またはこれに代替する形で、ここに示された技術は、１つ以上の有線の通信媒体を介して１つ以上の有線接続の上においてコンテンツを送信することを伴うことが可能である。有線の通信媒体の具体例は、ワイヤー、ケーブル、金属製リード線、プリント回路基板（PCB）、バックプレーン、スイッチング・ファブリック、半導体材料、ツイストペア線、同軸ケーブル、光ファイバーなどを含むことが可能である。本発明に係る複数の実施例は、このコンテキストの中に制限されるものではない。
【０００９】
以下、添付の図面が参照されるが、当該図面中において、同様の参照番号は、同様の構成要素を参照するために使用される。以下の説明においては、本発明の実施形態を説明することを目的として、発明の包括的な理解を提供するために、数多くの具体的詳細内容が記述される。しかしながら、本発明に係る新規な実施形態は、上記のような具体的詳細内容無しで実施することも可能であることは自明であろう。その他の事例においては、本発明に係る以下の実施形態の説明を容易にするために、周知の構造や装置類がブロック図の形で示される。その意図するところは、本明細書の特許請求の範囲に記載されている発明の主題と整合する全ての変形実施例、均等物、代替的実施例などを本発明の技術的範囲内にあるものとしてカバーすることにある。
【００１０】
図１は、本発明に係る装置100に関するブロック図を示す。図１に示される装置100は特定のトポロジにおける限られた個数の構成要素を有するが、装置100は、所与の実装形態に関して要望に応じて代替的なトポロジにおけるより多くの又はより少数の構成要素を含むことが可能であることが理解できよう。
【００１１】
装置100は、１つ以上のソフトウェア・コンポーネント122-aを実行するように構成されたプロセッサー回路120を有し、コンピューターにより実装された装置100を具備することが可能である。本明細書中で使用されている「ａ」、「ｂ」、「ｃ」および同様の表記記号が任意の正の整数を表す変数であると意図されていることは注目に値する。したがって、例えば、ａ＝５となるように一つの実装形態が値を設定する場合、ソフトウェア・コンポーネントの完全な一群122-aは、コンポーネント122-1、122-2、122-3、122-4および122-5を含むことが可能である。本発明に係る複数の実施例は、このコンテキストの中に制限されるものではない。
【００１２】
本発明に係る様々な実施例では、装置100は固定された装置の中において実装されることが可能である。当該固定された装置は、一般に固定され、静止しており、永続的であり、さもなければ、時間の経過に伴って変化しない位置にあるように設計された電子機器を指して言う。例えば、当該固定された装置は、移動できないようにするために、有線接続された送電線、伝送線などを含む備品、付属物および筐体に取り付ける形で設置されることが可能である。固定された装置は一般的には静止しているが、幾つかかの固定された装置は、第１の固定位置にあるそれらの現在の設備から分離され、第２の固定位置に移動され、第２の固定位置にある別の設備に接続されることが可能であることが理解できよう。その他の幾つかの実施例においては、装置100はモバイル型の装置として実装されることが可能である。モバイルの装置は、時間の経過に伴って様々な位置の間を頻繁に移動可能となるような充分なポータビリティを持てるように設計されている。本発明に係る様々な実施例では、装置100は、無線通信および／または有線通信の機能を有し、１つ以上の有線通信および／または無線通信の標準化方式と互換性のある任意の固定型またはモバイル型の電子機器の中において実装されことが可能である。例えば、１つの実施例では、本発明に係る装置は１つ以上の3GPP  LTE標準化仕様あるいはIEEE  802.16標準化仕様と互換性のあるモバイル通信装置を含むことが可能である。本発明に係る複数の実施例は、このコンテキストの中に制限されるものではない。
【００１３】
装置100は、プロセッサー回路120を含むことが可能である。プロセッサー回路120は一般的には、１つ以上のソフトウェア・コンポーネント122-aを実行するように構成されることが可能である。プロセッサー回路120は、様々な市販のプロセッサーのいずれとすることも可能であり、それらは以下のものに限定はされないが、例えば、AMD（登録商標）社製のAthlon（登録商標）プロセッサー、Duron（登録商標）プロセッサーおよびOpteron（登録商標）プロセッサー；ＡＲＭ（登録商標）ベースのアプリケーション・プロセッサー、組み込み型プロセッサーおよびセキュア・プロセッサ；ＩＢＭ（登録商標）社とモトローラ（登録商標）社のDragonBall（登録商標）プロセッサーや  PowerPC（登録商標）プロセッサー；ＩＢＭ（登録商標）社とソニー（登録商標）のCell（登録商標）プロセッサー；インテル（登録商標）社製のCeleron（登録商標）プロセッサー、Core  (2)  Duo（登録商標）プロセッサー、Core  i3プロセッサー、Core  i5プロセッサー、Core  i7プロセッサー、Itanium（登録商標）プロセッサー、  Pentium（登録商標）プロセッサー、Xeon（登録商標）プロセッサー、XScale（登録商標）プロセッサーおよび同様のプロセッサーを含む。デュアル・マイクロプロセッサー、マルチコア・プロセッサーおよびその他のマルチプロセッサ・アーキテクチャーもまた、プロセッサー装置120として使用されることが可能である。
【００１４】
装置100は通信コンポーネント122-1を含むことが可能である。本発明に係る幾つかの実施例では、プロセッサー回路120による実行のために、通信コンポーネント122-1は、有線接続又は無線接続の上において送信110を受信するように構成されることが可能である。本発明に係る様々な実施例では、送信データ110はマルチキャスト送信を含むことが可能である。マルチキャスト送信は、一つの送信元から一群の宛先に向けて単一の送信動作によって実質的に同時並列的に送信される任意の送信を含むことが可能である。本発明に係る幾つかの実施例では、送信データ110は、例えば、2012年３月に発行された3GPP  TS  26.346標準仕様のバージョン10.3.0、リリース10等のようなマルチメディア・ブロードキャスト／マルチキャスト・サービス（MBMS：Multimedia  Broadcast/Multicast  Service）プロトコルと互換性を有するように適合させることが可能である、そのような様々な実施例においては、送信データ110は、利用可能なMBMSサービスに関してアプリケーション層についての情報を提供するMBMSユーザ・サービス記述（USD）送信を含むことが可能であり、USD送信は、関連するトランスポート・オプション、セッション記述、コンテンツ特性、ブロードキャスト送信スケジュールおよびファイル修復プロシージャを含んでいる。本発明に係る様々な実施例では、送信データ110はメタデータの送信内容を含むことが可能である。本発明に係る複数の実施例は、このコンテキストの中に制限されるものではない。
【００１５】
本発明に係る幾つかの実施例では、特定のコンテンツ・アイテムについての複数のコンテンツ・バージョンが、１つ以上の無線接続または有線接続による通信を介して装置100において利用可能となり得る。本明細書中において使用されるように、用語「複数」は何かが２個以上存在することを示すために使用される。そのような特定のコンテンツ・アイテムの具体例には、ビデオ・ファイル、オーディオ・ファイル、画像およびその他のタイプのメディアが含まれ得る。複数のコンテンツ・バージョンの各々は、特定のコンテンツ・アイテムの特定のバージョンを含み、当該特定のバージョンは、１つ以上の特性に基づいて、当該コンテンツ・アイテムの他のバージョンとは異なったものとすることが可能である。当該コンテンツ・アイテムの当該特定のバージョンを他のバージョンとは異なったものとするための基礎となる１つ以上の特性の具体例には、基底ビット・レート、フレームレート、解像度、コーデック・タイプ、オーディオ言語、サブタイトル言語およびその他の特性が含まれる。本発明に係る様々な実施例では、複数のコンテンツ・バージョンの各々は、それぞれ対応するマルチキャスト・サービスを介して装置100において利用可能となるようにしても良い。幾つかのそのような実施例では、マルチキャスト・サービスはそれぞれ対応するコンテンツ・ストリームを含むことが可能である。本発明に係る様々な実施例では、複数のコンテンツ・ストリームは、個別の送信および／または送信ストリームを含むことが可能である。その他の実施例では、複数のコンテンツ・ストリームは、１つ以上の共有される送信内におけるおよび／または共有される送信ストリーム内における個別のセグメントを含むことが可能である。本発明に係る幾つかの実施例では、複数のコンテンツ・ストリームは、マルチキャスト・コンテンツ・ストリームを含むことが可能である。本発明に係る様々な実施例では、複数のコンテンツ・バージョンの各々は、それぞれ対応するMBMSサービス中のコンテンツ・ストリームを経由して装置100において利用可能となるようにしても良い。本発明に係る複数の実施例は、このコンテキストの中に制限されるものではない。
【００１６】
本発明に係る様々な実施例では、、複数のコンテンツ・バージョンの各々は、スケーラブルなビデオ符号化（SVC）技術（例えば、2012年４月４日に発行されたITU-T  H.264標準化仕様の付録Gに規定される方式など）を使用して、１つ以上のビット・ストリーム中において送信されることが可能である。一般的に、SVC技術は、基本レイヤおよび１つ以上の拡張レイヤを含む１つ以上のビット・ストリームを生成する動作を具備することが可能である。本発明に係る幾つかの実施例では、複数のコンテンツ・バージョンの各々は、それぞれ異なるSVCレイヤと対応するあるいは関係付けられることが可能であり、MBMSサービスの各々は、それぞれ異なるコンテンツ・バージョンと対応するあるいは関係付けられることが可能であり、その結果、マルチキャスト・コンテンツ・ストリームの各々およびこれと関連するMBMSサービスは、それぞれ異なるSVCレイヤと対応するあるいは関係付けられることが可能である。そのような様々な実施例においては、複数のMBMSサービスのうちの１つは、一つのSVC基本レイヤと対応するあるいは関係付けられることが可能であり、複数のMBMSサービスのうちの残りのMBMSサービスは、複数のSVC拡張レイヤのうちの一つと対応するあるいは関係付けられることが可能である。本発明に係る複数の実施例は、このコンテキストの中に制限されるものではない。
【００１７】
幾つかの実施例では、複数のコンテンツ・バージョンの各々は、多重ビュー・ビデオ符号化（MVC）技術（例えば、2012年４月４日に発行されたITU-T  H.264標準化仕様の付録Hに規定される方式など）を使用して、１つ以上のビット・ストリームの中において送信されることが可能である。一般的には、MVC技術は、３次元（３Ｄ）ビデオ・コンテンツについての異なる方向から見たビューをそれぞれ表わす一時的に同期された複数のビデオ・ストリームを、１つ以上の符号化されたビット・ストリームの中へと合成する処理を含むことが可能である。本発明に係る様々な実施例では、複数のコンテンツ・バージョンは、多様な異なる視点から撮影された単一の３Ｄ撮影シーンの表現を具備することが可能である。MVC技術に関する一つの重要な特殊ケースは、立体視用３Ｄビデオ符号化技術であり、その場合には、左眼のための一つの視点および右眼のための一つの視点から成る２つの視点から見たビューが符号化される。MVCは、圧縮効率を改善するために、従来式の時間／空間の予測処理のサポートに加えて、複数の視点同士の間においてビュー間予測の処理を導入する。MVCは、下位互換性を実現可能な方法で、ビュー解像度を低下させることなしに立体視ビデオを圧縮することができる。本発明に係る幾つかの実施例では、単一の符号化されたビット・ストリームは、上述したビュー間予測に基づいて、一時的に同期された複数のビット・ストリームを符号化することにより生成されることが可能である。本発明に係る複数の実施例は、このコンテキストの中に制限されるものではない。
【００１８】
本発明に係る幾つかの実施例では、送信110は記述セグメント（または記述区画）111、および対応関係セグメント（または対応関係区画）113を含むことが可能である。記述セグメント111は複数のコンテンツ・バージョンの特性について記述する情報、データあるいはロジックを含むことが可能である。本発明に係る様々な実施例では、記述セグメント111は複数の記述部分112-bを含むことが可能である。記述部分112-bの各々は、装置100によって受信されることが可能な特定のコンテンツ・バージョンの特性について記述するメタデータ情報を含むことが可能である。本発明に係る複数の実施例は、このコンテキストの中に制限されるものではない。
【００１９】
本発明に係る幾つかの実施例では、記述セグメント111に記述されているコンテンツ・バージョンの各々に関して、対応関係セグメント113は、各コンテンツ・バージョンを装置100が受信する際に利用可能な対応するマルチキャスト配信サービス記述を識別する情報、データあるいはロジックを含むことが可能である。様々な実施例では、対応関係セグメント113は、複数の対応関係部分114-cを含むことが可能である。対応関係部分114cの各々は、記述部分112-bによって記述されたコンテンツ・バージョンを識別する情報に加え、記述部分112-bによって記述された各コンテンツ・バージョンを装置100が受信する際に利用可能なマルチキャスト配信サービスを識別する情報を含むことが可能である。幾つかの実施例では、複数のコンテンツ・ストリームは、複数のマルチキャスト配信サービスと対応する又は関係付けられることが可能であり、記述セグメント111に記述されているコンテンツ・バージョンの各々に関して、対応関係セグメント113は、各コンテンツ・バージョンを利用可能とするための対応するコンテンツ・ストリームと対応するマルチキャスト配信サービスを識別する情報、データあるいはロジックを含むことが可能である。本発明に係る複数の実施例は、このコンテキストの中に制限されるものではない。
【００２０】
本明細書中に記述されるように、複数のマルチキャスト・サービスおよび／または複数のコンテンツ・ストリームは、それぞれ異なる物理的な位置、それぞれ異なるネットワーク・アドレス、識別情報および／または位置、あるいはそれぞれ異なる送信と対応する又は関係付けられることが可能である。例えば、幾つかの実施例においては、２つの異なるマルチキャスト・サービスおよび／またはコンテンツ・ストリームは、２つの異なる場所に設置されている２つの異なるコンテンツ供給元装置（例えば、マルチキャスト・サーバ機器）と対応する又はこれらと関係付けられることが可能である。他の実施例においては、２つの異なるマルチキャスト・サービスおよび／またはコンテンツ・ストリームは、同じ場所に設置されている２つの異なるコンテンツ供給元装置（例えば、マルチキャスト・サーバ機器）と対応する又はこれらと関係付けられることが可能である。さらに別の実施例においては、２つの異なるマルチキャスト・サービスおよび／またはコンテンツ・ストリームは、単一の装置（例えば、マルチキャスト・サーバー機器）からの２つの異なる送信および／または送信ストリームと対応する又はこれらと関係付けられることが可能である。さらに別の実施例においては、２つの異なるマルチキャスト・サービスおよび／またはコンテンツ・ストリームは、単一の装置（例えば、マルチキャスト・サーバー機器）からの単一の送信および／または送信ストリームの中に含まれるそれぞれ異なる部分と対応する又はこれらと関係付けられることが可能である。本発明に係る複数の実施例は、このコンテキストの中に制限されるものではない。
【００２１】
本発明に係る様々な実施例では、記述セグメント111は、MBMS  USD送信データ中において受信されるメディア表現記述（MPD：Media  Presentation  Description）メタデータ・ファイルを含むことが可能であり、記述部分112-bの各々は、MBMSサービスを介して装置100が受信されることが可能なコンテンツ・バージョンの特性について記述することが可能である。幾つかのそのような実施例においては、対応関係セグメント113は複数の対応関係部分114-cを含むことが可能であり、対応関係部分114-cの各々は、記述部分112-bによって記述された対応するコンテンツ・バージョンを装置100が受信するためのMBMSサービスを識別する。本発明に係る様々な実施例では、複数のコンテンツ・バージョンは複数のMBMSサービスとして装置100において利用可能となるようにしても良い。そのような実施例の一例においては、第１のMBMSサービスは、高解像度のコンテンツ・バージョンと対応する又は関係付けられることが可能であり、第２のMBMSサービスは低解像度のコンテンツ・バージョンと対応する又は関係付けられることが可能であり、記述セグメント111は、高解像度のコンテンツ・バージョンを記述する記述部分112-1および低解像度のコンテンツ・バージョンを記述する記述部分112-2を具備することが可能である。そのような例においては、対応関係セグメント113は、高解像度コンテンツ・バージョンを識別し、それが第１のMBMSサービスを介して利用可能であることを示す対応関係部分114-1を含むことが可能であり、低解像度のコンテンツ・バージョンを識別し、それが第２のMBMSサービスを介して利用可能であることを示す対応関係部分114-2を含むことが可能である。そのような実施例のさらに別の例においては、第１のMBMSサービスは、基本レイヤ（左側の視野）のコンテンツ・バージョンと対応する又はこれと関係付けられることが可能であり、第２のMBMSサービスは、SVC（MVC）に基づいて符号化された拡張レイヤ（右側の視野）のコンテンツ・バージョンと対応する又はこれと関係付けられることが可能であり、記述セグメント111は、基本レイヤ（左の視野）のコンテンツ・バージョンを記述する記述部分112-1および拡張レイヤ（右側の視野）のコンテンツ・バージョンを記述する記述部分112-2を具備することが可能である。そのような例においては、対応関係セグメント113は、基本レイヤ（左側の視野）のコンテンツ・バージョンを識別し、それが第１のMBMSサービスを介して利用可能であることを示す対応関係部分114-1を含むことが可能であり、拡張レイヤ（右側の視野）のコンテンツ・バージョンを識別し、それが第２のMBMSサービスを介して利用可能であることを示す対応関係部分114-2を含むことが可能である。本発明に係る複数の実施例は、このコンテキストの中に制限されるものではない。
【００２２】
本発明に係る幾つかの実施例では、複数のコンテンツ・バージョンは、単一のMBMSバンドル内に含まれる複数の異なるMBMSサービスとして装置100において利用可能となるようにしても良い。そのような実施例の一例においては、一つのMBMSバンドルは高解像度のコンテンツ・バージョンに対応する第１のMBMSサービス、および低解像度のコンテンツ・バージョンに対応する第２のMBMSサービスを含むことが可能であり、記述セグメント111は、高解像度のコンテンツ・バージョンを記述する記述部分112-1および低解像度のコンテンツ・バージョンについて記述する記述部分112-2を含むことが可能である。そのような例においては、対応関係セグメント113は、高解像度のコンテンツ・バージョンを識別し、それがMBMSバンドル中における第１のMBMSサービスを介して利用可能であることを示す対応関係部分114-1を含むことが可能であり、低解像度のコンテンツ・バージョンを識別し、それが当該MBMSバンドル中における第２のMBMSサービスを介して利用可能であることを示す対応関係部分114-2を含むことが可能である。本発明に係る複数の実施例は、このコンテキストの中に制限されるものではない。
【００２３】
その他の様々な実施例において、複数のコンテンツ・バージョンは、それぞれ異なるMBMSバンドル内における複数の異なるMBMSサービスとして装置100において利用可能となるようにしても良い。そのような実施例の一例においては、一つのMBMSバンドルは高解像度のコンテンツ・バージョンに対応する第１のMBMSサービス、および低解像度のコンテンツ・バージョンに対応する第２のMBMSサービスを含むことが可能であり、記述セグメント111は、高解像度のコンテンツ・バージョンを記述する記述部分112-1および低解像度のコンテンツ・バージョンについて記述する記述部分112-2を含むことが可能である。そのような例においては、対応関係セグメント113は、高解像度のコンテンツ・バージョンを識別し、それがMBMSバンドル中における第１のMBMSサービスを介して利用可能であることを示す対応関係部分114-1を含むことが可能であり、低解像度のコンテンツ・バージョンを識別し、それが別のMBMSバンドル中における第２のMBMSサービスを介して利用可能であることを示す対応関係部分114-2を含むことが可能である。本発明に係る複数の実施例は、このコンテキストの中に制限されるものではない。
【００２４】
本発明に係る装置100は対応関係処理コンポーネント122-2を含むことが可能である。対応関係処理コンポーネント122-2は、プロセッサー回路120による実行のために、送信データ110を処理するように構成されることが可能である。本発明に係る幾つかの実施例においては、対応関係処理コンポーネント122-2は、複数のコンテンツ・バージョンを識別し、複数のコンテンツ・バージョンの各々の特性を識別し、さらに、装置100においてコンテンツ・バージョンを利用可能とするための複数のマルチキャスト配信サービスを識別するために、送信データ110を処理するように動作可能である。本発明に係る様々な実施例では、複数のマルチキャスト配信サービスの各々は、複数のコンテンツ・ストリームのうちの１つと対応する又は関係付けられることが可能である。１つの例示的な実施例においては、対応関係処理コンポーネント122-2は、高解像度のコンテンツ・バージョンおよび低解像度のコンテンツ・バージョンを識別することが可能であり、高解像度のコンテンツ・バージョンが第１のMBMSサービスを介して利用可能であり、低解像度のコンテンツ・バージョンが第２のMBMSサービスを介して利用可能であることを決定することが可能である。本発明に係る複数の実施例は、上述した具体例に制限されるものではない。
【００２５】
本発明に係る装置100は、コネクション測定コンポーネント122-3を含むことが可能である。コネクション測定コンポーネント122-3は、プロセッサー回路120による実行のために、装置100と複数のマルチキャスト配信サービスおよび／またはコンテンツ・ストリームの各々との間における信号パス特性を測定するおよび／/または分析するように構成されることが可能である。本発明に係る幾つかの実施例においては、コネクション測定コンポーネント122-3は、チャンネル品質および／またはマルチキャスト配信サービスおよび／またはコンテンツ・ストリームの各々を介するデータ送信に関連した実効的なビット・レートを測定するように構成されることが可能である。MBMSサービスを具備する複数のマルチキャスト配信サービスを対応関係処理コンポーネント122-2が識別するような実施例においては、コネクション測定コンポーネント122-3は、チャンネル品質、実効的なビット・レートおよび／またはMBMSサービスの各々を介するデータ送信と関連したその他の特性を測定するように動作可能である。複数のコンテンツ・バージョンがMBMSバンドル内における複数のMBMSサービスを介して利用可能な実施例においては、コネクション測定コンポーネント122-3は、チャンネル品質、実効的なビット・レートおよび／またはMBMSバンドル内に含まれるMBMSサービスに関するその他の特性、さらには当該MBMSバンドルに関するその他の特性を測定するように動作可能である。複数のコンテンツ・バージョンが複数の異なるMBMSバンドル内における複数のMBMSサービスを介して利用可能な実施例においては、コネクション測定コンポーネント122-3は、チャンネル品質、実効的なビット・レートおよび／または複数のMBMSバンドルの各々にそれぞれ含まれるMBMSサービスに関するその他の特性、さらには当該複数のMBMSバンドルの各々に関するその他の特性を測定するように動作可能である。本発明に係る複数の実施例は、このコンテキストの中に制限されるものではない。
【００２６】
本発明に係る装置100は選択コンポーネント122-4を含むことが可能である。選択コンポーネント122-4は、プロセッサー回路120による実行のために、複数のコンテンツ・バージョンおよび／または対応するマルチキャスト・サービスの中の１つ以上を選択し、受信するように構成されることが可能である。複数のコンテンツ・バージョンおよび／または対応するマルチキャスト・サービスの中から１つ以上を選択する動作は、後続の処理のために複数のコンテンツ・ストリームの中の１つ以上を選択し、受信する動作を含むことが可能であり、当該後続の処理には、記述セグメント111において識別される特性に基づいて実行されるレンダリング処理と再生処理が含まれる。例えば、記述セグメント111は、第１のコンテンツ・バージョンに対応するものとして第１のマルチキャスト・サービスおよび／または第１のコンテンツ・ストリームを識別する記述部分112-1を含むことが可能であり、選択コンポーネント122-4は、第１のコンテンツ・バージョンとの間のこの対応関係に基づいて実行される処理のために、第１のコンテンツ・ストリームを選択し、受信することが可能である。
【００２７】
本発明に係る様々な実施例においては、選択コンポーネント122-4は、複数のコンテンツ・バージョンおよび／またはコンテンツ・ストリームの中の１つ以上をチャンネル品質、実効的なビット・レートおよび／またはコネクション測定コンポーネント122-3によって測定され、複数のマルチキャスト・サービスおよび／またはコンテンツ・ストリームの各々を介するデータ送信に関係付けられているその他の特性に基づいて選択し、受信するように動作可能である。例示的な一実施例においては、コネクション測定コンポーネント122-3は、第１のコンテンツ・ストリームを介して第１のコンテンツ・バージョンの送信と関連した第１の実効的なビット・レートを測定するように動作可能であり、第２のコンテンツ・ストリームを介した第２のコンテンツ・バージョンの送信と関連した第２の実効的なビット・レートを測定するように動作可能である。
【００２８】
上述した具体例の説明を続けるならば、選択コンポーネント122-4は、第１の実効的なビット・レートを第２の実効的なビット・レートと比較し、第１の実効的なビット・レートあるいは第２の実効的なビット・レートが、クライアント端末に向かうマルチキャスト・コネクション上においてサポート可能である最大のビット・レートであるか否かに基づいて、第１のコンテンツ・ストリームを介した第１のコンテンツ・バージョンあるいは第２のコンテンツ・ストリームを介した第２のコンテンツ・バージョンのいずれか一方を選択し、受信するするように動作可能である。本発明に係る複数の実施例は、上述した具体例に制限されるものではない。上述したように、複数のコンテンツ・ストリームは、マルチキャスト・コンテンツ・ストリームを含むことが可能である。幾つかのそのような実施例においては、選択コンポーネント122-4は、MBMSサービスを介して利用可能なマルチキャスト・コンテンツ・ストリームを処理のために選択し、受信するように動作可能である。本発明に係る複数の実施例は、このコンテキストの中に制限されるものではない。
【００２９】
本発明に係る様々な実施例においては、選択コンポーネント122-4がマルチキャスト・サービスおよび／またはコンテンツ・ストリームを一旦選択し、受信したならば、通信コンポーネント122-1は対応するマルチキャスト・サービスからコンテンツ・バージョンおよび／またはコンテンツ・ストリームを取得するように動作可能である。本発明に係る幾つかの実施例では、通信コンポーネント122-1は、コンテンツ・バージョンおよび／またはコンテンツ・ストリームを含む１つ以上のコンテンツ送信データを受信することが可能であり、当該コンテンツ送信データは、マルチキャスト・サービスの一部として、コンテンツ・バージョンおよび  ／またはコンテンツ・ストリームとして指定された特定のチャネルまたは周波数上において受信されることが可能である。本発明に係る様々な実施例においては、複数のコンテンツ・バージョンおよび／またはストリームは、同一のチャネルあるいは周波数を介して利用可能となるようにしても良く、また、通信コンポーネント122-1は、選択されたコンテンツ・バージョンおよび／またはコンテンツ・ストリームと対応する又は関係付けられているそのチャネルまたは周波数の上においてコンテンツ送信データの複数の構成部分を識別し、処理するように動作可能である。他の幾つかの実施例では、コンテンツ・バージョンおよび／またはストリームの各々は、マルチキャスト・サービスの一部として異なるチャネルまたは周波数を介して利用可能となるようにしても良い。また、通信コンポーネント122-1は、選択されたコンテンツ・バージョンおよび／またはコンテンツ・ストリームが利用可能となるチャネル又は周波数を識別し、さらに、選択されたコンテンツ・バージョンおよび／またはコンテンツ・ストリームと対応する又はこれと関係付けられているチャネル又は周波数の上において利用可能なコンテンツ送信データの部分を処理するように動作可能である。本発明に係る複数の実施例は、このコンテキストの中に制限されるものではない。
【００３０】
本発明に係る装置100は適応化コンポーネント122-5を含むことが可能である。適応化コンポーネント122-5はプロセッサー回路120による実行のために、記述セグメント中において識別された特性に基づいた受信とそれに続く処理のために、複数のマルチキャスト・コンテンツ・ストリームの間において適応的に切り替えを行うように構成されることが可能である。本発明に係る幾つかの実施例では、コネクション測定コンポーネント122-3によって行なわれたチャネル品質および／または実効的なビット・レートの測定結果にさらに基づいて、適応化コンポーネント122-5は、適応して複数のマルチキャスト・コンテンツ・ストリームの間において適応的に切り替えを行うように構成されることが可能である。例示的な一実施例においては、選択コンポーネント122-4がマルチキャスト・サービスおよび／またはコンテンツ・ストリームを選択し、受信した後に、適応化コンポーネント122-5は、選択コンポーネント122-4によって行なわれたチャネル品質測定結果に基づいて、別異のマルチキャスト・サービスおよび／またはコンテンツ・ストリームへと適応的に切り替え、それは、別異のマルチキャスト・サービスおよび／またはコンテンツ・ストリームをレンダリング処理および再生処理することにより、提供されるユーザ体験が改善される可能性があることを示している。本発明に係る複数の実施例は、このコンテキストの中に制限されるものではない。
【００３１】
本発明に係る様々な実施例においては、MBMSサービスは選択されたコンテンツ・バージョンおよび／またはコンテンツ・ストリームを含むことが可能であり、通信コンポーネント122-1は、MBMSサービスに関するコンテンツ送信データを受信し、それらのコンテンツ送信データから選択されたコンテンツ・バージョンおよび／またはコンテンツ・ストリームを抽出するように動作可能である。幾つかのそのような実施例では、選択されたコンテンツ・バージョンおよび／またはコンテンツ・ストリームは、MBMSサービス・バンドル内に含まれるMBMSサービスと対応する又はこれと関係付けられることが可能であり、通信コンポーネント122-1は、MBMSサービス・バンドルに関するコンテンツ送信データを受信し、さらに、MBMSサービス・バンドル送信データを構成する複数の構成部分であって、選択されたコンテンツ・バージョンおよび／またはコンテンツ・ストリームと対応するMBMSサービスと対応する又は関係付けられる複数の構成部分の中から選択されたコンテンツ・バージョンおよび／またはコンテンツ・ストリームを抽出するように動作可能である。本発明に係る複数の実施例は、このコンテキストの中に制限されるものではない。
【００３２】
本発明に係る様々な実施例において、通信コンポーネント122-1は、MBMSサービスおよび／またはMBMSサービス・バンドルを具備するコンテンツ送信データを、FLUTE（File  Delivery  Over  Unidirectional  Transport）プロトコル（片方向トランスポート上にけるファイル配信のためのプロトコル）に従って受信するように動作可能である。幾つかのそのような実施例においては、通信コンポーネント122-1は、選択されたコンテンツ・バージョンおよび／またはコンテンツ・ストリームに対応するMBMSサービスに関するFLUTEセッションを確立し、さらに、当該FLUTEセッションを介してMBMSサービスに関する複数のMBMSコンテンツ送信データを受信し、当該FLUTEセッションを介して受信された複数のコンテンツ送信データの中から選択されたコンテンツ・バージョンおよび／またはコンテンツ・ストリームを抽出するように動作可能である。本発明に係る様々な実施例においては、通信コンポーネント122-1は、複数のMBMSサービスに対応する複数のFLUTEセッションを確立することによって、選択されたコンテンツ・バージョンおよび／またはコンテンツ・ストリームを含むMBMSサービスに対応するFLUTEセッションを識別し、当該識別されたFLUTEセッションを介して受信された複数のコンテンツ送信データの中から選択されたコンテンツ・バージョンおよび／またはコンテンツ・ストリームを抽出するように動作可能である。幾つかのそのような実施例では、単一のMBMSサービス・バンドル内に複数のMBMSサービスが含まれることが可能である。本発明に係る複数の実施例は、このコンテキストの中に制限されるものではない。
【００３３】
例示的な一実施例においては、ビデオの２つのバージョンが一つのMBMSサービス・バンドルを介して利用可能となるようにしても良く、それら２つのバージョンは、ビデオの高解像度バージョンおよび低解像度バージョンである。MBMSサービス・バンドルは高解像度バージョンに対応する第１のMBMSサービス、および低解像度バージョンに対応する第２のMBMSサービスを含むことが可能である。通信コンポーネント122-1は送信データ110を受信することが可能である。送信データ110は、高解像度バージョンおよび低解像度バージョンについて記述する記述セグメント111を含むことが可能である。送信110データは、対応関係セグメント113をさらに含むことが可能である。対応関係処理コンポーネント122-2は、MBMSサービス・バンドルおよび第１のMBMSサービスと第２のMBMSサービスを識別し、さらに、高解像度バージョンが第１のMBMSサービスに対応し、低解像度バージョンが第２のMBMSサービスに対応するとを決定するために対応関係セグメント113を処理することが可能である。その後、コネクション測定コンポーネント122-3は、MBMSサービス・バンドルの送信と関連したチャネル品質を測定することが可能である。測定されたチャネル品質に基づいて、選択コンポーネント122-4は、後続の処理のために、高解像度バージョンを選択し、受信することが可能である。高解像度バージョンが第１のMBMSサービスに対応する旨の対応関係処理コンポーネント122-2による決定に基づいて、通信コンポーネント122-1は、MBMSサービス・バンドルの複数の送信データを受信し、MBMSサービス・バンドルの複数の送信データから第１のMBMSサービスに対応するコンテンツ・ストリームを抽出することが可能である。本発明に係る複数の実施例は、上述した具体例に制限されるものではない。
【００３４】
さらに別の例示的な実施例では、ビデオの２つのバージョンがMBMSサービス・バンドルによって利用可能となるようにしても良く、当該２つのバージョンは、SVC（MVC）によって符号化された基本レイヤ（左側の視野）のバージョンおよび拡張レイヤ（右側の視野）のバージョンである。MBMSサービス・バンドルは基本レイヤ（左側の視野）のバージョンに対応する第１のMBMSサービス、および拡張レイヤ（右側の視野）のバージョンに対応する第２のMBMSサービスを含むことが可能である。通信コンポーネント122-1は、送信データ110を受信することが可能である。送信データ110は、基本レイヤ（左側の視野）のバージョンおよび拡張レイヤ（右側の視野）のバージョンについて記述する記述セグメント111を含むことが可能である。送信データ110は対応関係セグメント113をさらに含むことが可能である。対応関係処理コンポーネント122-2は、MBMSサービス・バンドルおよび第１のMBMSサービスと第２のMBMSサービスを識別し、基本レイヤ（左側の視野）のバージョンが第１のMBMSサービスに対応し、拡張レイヤ（右側の視野）のバージョンが第２のMBMSサービスに対応すると決定するために対応関係セグメント113を処理することが可能である。その後、コネクション測定コンポーネント122-3は、MBMSサービス・バンドルの送信データに関連したチャネル品質を測定することが可能である。測定されたチャネル品質の高さが基本レイヤと拡張レイヤの両方のレイヤ（左側と右側の視野に対応）を受信するのに充分であると決定したことに基づいて、選択コンポーネント122-4は、続く処理のために、基本レイヤ（左側の視野）のバージョンと拡張レイヤ（右側の視野）のバージョンの両方を選択し、受信することが可能である。基本レイヤ（左側の視野）のバージョンが第１のMBMSサービスに対応し、拡張レイヤ（右側の視野）のバージョンが第２のMBMSサービスに対応する旨を対応関係処理コンポーネント122-2が決定したことに基づいて、通信コンポーネント122-1は、MBMSサービス・バンドルの送信データを受信し、MBMSサービス・バンドルの複数の送信データから第１のMBMSサービスと第２のMBMSサービスの両方に対応するコンテンツ・ストリームを抽出することが可能である。本発明に係る複数の実施例は、上述した具体例に制限されるものではない。
【００３５】
図１は、システム140の１つの実施例をさらに示すことも可能である。システム140は装置100およびオーディオ装置142を含むことが可能である。オーディオ装置142は、トーン、音楽、会話、会話における発声、音響効果、背景ノイズあるいはその他の音を、受信したオーディオ・データに基づいて生成することが可能な任意の装置を含むことが可能である。オーディオ装置142の具体例には、とりわけ、スピーカー、多重スピーカー・システム、家庭用エンテーテイメント・システム、テレビ、コンシューマ向け電子機器、コンピュータ・システム、モバイル装置およびポータブル型の電子メディア装置が含まれ得る。本発明に係る複数の実施例は、このコンテキストの中に制限されるものではない。
【００３６】
本発明に係る様々な実施例においては、オーディオ装置142は、トーン、音楽、会話、会話における発声、音響効果、背景ノイズあるいはその他の音を、装置100から受信したオーディオ・データ141に基づいて生成するように構成されることが可能である。幾つかの実施例においては、通信コンポーネント122-1によって受信された１つ以上のコンテンツ・ストリームの再生処理と関連して、オーディオ・データ141がプロセッサー回路120によって生成されることが可能である。本発明に係る複数の実施例は、このコンテキストの中に制限されるものではない。
【００３７】
図２は、送信データ200の１つの実施例を図示することが可能であり、それは図１に示した送信データ110と同一の又は類似の概念である。図２に示されるように、送信データ200は記述セグメント211および対応関係セグメント213を含む。図２に示す例では、記述セグメント211は記述部分212-1、212-2および212-3を含んでいる。記述部分212-1は、コンテンツ・バージョンＡの２つの特性を示している。すなわち、記述部分212-1は、コンテンツ・バージョンＡが1920×1080ピクセルの解像度および４MB／秒のビット・レートを持っていることを示している。同様に、記述部分212-2は、コンテンツ・バージョンＢが1600×900ピクセルの解像度および２MB／秒のビット・レートを持っていることを示しており、記述部分212-3は、コンテンツ・バージョンＣが1280×720ピクセルの解像度および１MB／秒のビット・レートを持っていることを示している。さらに、図２に示す例においては、対応関係セグメント213は対応関係部分214-1、214-2および214-3を含む。対応関係部分214-1はコンテンツ・バージョンＡに対応するマルチキャスト・サービスを示す。すなわち、対応関係部分214-1は、コンテンツ・バージョンＡがマルチキャスト・サービス１によって利用可能であることを示している。同様に、対応関係部分214-2は、コンテンツ・バージョンＢがマルチキャスト・サービス２によって利用可能であることを示しており、対応関係部分214-3は、コンテンツ・バージョンＣがマルチキャスト・サービス３によって利用可能であることを示している。記述部分212-bおよび対応関係部分214cは例示による説明を容易にするために、図２中において、表形式で示されているが、本発明に係る幾つかの実施例においては、送信データ200は、任意のフォーマットで表された記述部分212-bおよび対応関係部分214cに関する情報を含むことも可能であるので、必ずしも表形式で表された情報を含む必要はないことは注目に値する。本発明に係る複数の実施例は、このコンテキストの中に制限されるものではない。
【００３８】
図３Ａは、対応関係セグメント300の第１の実施例を図示することが可能であり、当該セグメントは、例えば、図２に示した送信データ200内に含まれるようにすることが可能である。図３Ａは、複数のコンテンツ・バージョンが複数のMBMSサービスとして利用可能な実施例と関係していても良い場合における対応関係セグメントの一例を含む。図３Ａの中で示されるように、対応関係セグメント300は対応関係部分314-1、314-2および314-3を含んでいる。図３Ａに示す例においては、対応関係部分314-1は、コンテンツ・バージョンＡがMBMSサービス１を介して利用可能であることを示しており、対応関係部分314-2は、コンテンツ・バージョンＢがMBMSサービス２を介して利用可能であることを示しており、対応関係部分314-3は、コンテンツ・バージョンＣがMBMSサービス３を介して利用可能であることを示している。本発明に係る複数の実施例は、上述した具体例に制限されるものではない。
【００３９】
図３Ｂは、対応関係セグメント300の第２の実施例を図示することが可能であり、当該セグメントは、例えば、図２に示した送信データ200内に含まれるようにすることが可能である。図３Ｂは、複数のコンテンツ・バージョンが単一のMBMSサービス・バンドルに属する複数のMBMSサービスとして利用可能な実施例と関係していても良い場合における対応関係セグメントの一例を含む。図３Ｂの中で示されるように、対応関係セグメント300は対応関係部分314-1、314-2および314-3を含んでいる。図３Ｂに示す例においては、対応関係部分314-1は、コンテンツ・バージョンＡがMBMSバンドル１に属するサービス１を介して利用可能であることを示しており、対応関係部分314-2は、コンテンツ・バージョンＢがMBMSバンドル１に属するサービス２を介して利用可能であることを示しており、対応関係部分314-3は、コンテンツ・バージョンＣがMBMSバンドル１に属するサービス３を介して利用可能であることを示している。本発明に係る複数の実施例は、このコンテキストの中に制限されるものではない。
【００４０】
図３Ｃは、対応関係セグメント300の第３の実施例を図示することが可能であり、当該セグメントは、例えば、図２に示した送信データ200内に含まれるようにすることが可能である。図３Ｃは、複数のコンテンツ・バージョンが複数のMBMSサービス・バンドルに属する複数のMBMSサービスとして利用可能な実施例と関係していても良い場合における対応関係セグメントの一例を含む。図３Ｃの中で示されるように、対応関係セグメント300は対応関係部分314-1、314-2および314-3を含んでいる。図３Ｃに示す例においては、対応関係部分314-1は、コンテンツ・バージョンＡがMBMSバンドル１に属するサービス１を介して利用可能であることを示しており、対応関係部分314-2は、コンテンツ・バージョンＢがMBMSバンドル２に属するサービス１を介して利用可能であることを示しており、対応関係部分314-3は、コンテンツ・バージョンＣがMBMSバンドル３に属するサービス１を介して利用可能であることを示している。本発明に係る複数の実施例は、上述した具体例に制限されるものではない。
【００４１】
本発明に係る様々な実施例では、通信コンポーネント122-1は、１つ以上のBMSC  （Broadcast  Multicast  Service  Center）を有する１つ以上のFLUTE（File  Delivery  over  Unidirectional  Transport）セッションを確立するように動作可能である。本発明に係る幾つかの実施例においては、FLUTEセッションの各々は、特定のMBMSサービスあるいはそのMBMSサービスが属するMBMSサービス・バンドルに対応するFLUTEセッションを介して特定のMBMSサービスに関連したコンテンツ送信データの受信が行なわれるようなMBMSサービスあるいはMBMSサービス・バンドルと対応するようにしても良い。
【００４２】
図３Ｄは、対応関係セグメント300の第３の実施例を図示することが可能であり、当該セグメントは、例えば、図２に示した送信データ200内に含まれるようにすることが可能であると共に、当該セグメントは、MBMSサービスおよび／またはMBMSサービス・バンドルがFLUTEセッションを介して受信される実施例において使用するのに適したものとすることが可能である。図３Ｄの中で示されるように、対応関係セグメント300は対応関係部分314-1、314-2および314-3を含んでいる。図３Ｄに示す例においては、対応関係部分314-1は、コンテンツ・バージョンＡがFLUTEセッション１を介してサービス１において利用可能であることを示しており、対応関係部分314-2は、コンテンツ・バージョンＢがFLUTEセッション２を介してサービス２において利用可能であることを示しており、対応関係部分314-3は、コンテンツ・バージョンＣがFLUTEセッション３を介してサービス３において利用可能であることを示している。本発明に係る複数の実施例は、上述した具体例に制限されるものではない。
【００４３】
図４は、コンテンツ送信データ400の１つの実施例を図示することが可能である。図４に示した例においては、コンテンツ送信データ400は、複数のマルチキャスト・サービスが、同一の送信データ中の複数の異なる構成部分に対応する、あるいは同時に発生することが可能な一連の送信データに対応するような様々な実施例における例示的な送信データである。図４に示されるように、コンテンツ送信データ400はコンテンツ部分402-1および402-2を含むことが可能である。コンテンツ部分402-1はコンテンツ・セグメント403-1、403-2および403-3を含み、コンテンツ部分402-2はコンテンツ・セグメント403-4、403-5および403-6を含んでいる。図４中に示す時間軸によって図示されるように、特定のコンテンツ部分内に含まれる様々なコンテンツ・セグメントは時間の経過に伴って逐次的に送信されることが可能である。図４中に示すマルチキャスト・サービス軸によって図示されるように、様々なコンテンツ部分は、マルチキャスト・サービスを変化させることによって送信されることが可能である。本発明に係る幾つかの実施例では、コンテンツ部分402-1は第１のコンテンツ・バージョンに対応し、コンテンツ部分402-2は第２のコンテンツ・バージョンに対応することが可能である。そのような様々な実施例においては、選択コンポーネント122-4は第１のコンテンツ・バージョンおよび／または第２のコンテンツ・バージョンを選択し、受信することが可能であり、通信コンポーネント122-2は、選択されたコンテンツ・バージョンに対応するコンテンツ部分の中からコンテンツ・セグメントを抽出することが可能である。例示的な一実施例においては、選択コンポーネント122-4は第１のコンテンツ・バージョンを選択し、受信することが可能であり、通信コンポーネント122-2は、第１のコンテンツ・バージョンに対応するコンテンツ部分402-1からコンテンツ・セグメント403-1、403-2および403-3を抽出することが可能である。本発明に係る複数の実施例は、上述した具体例に制限されるものではない。
【００４４】
本発明に係る幾つかの実施例では、コンテンツ送信データ400はMBMSサービスバンドルのコンテンツ送信データに対応するようにしても良い。そのような様々な実施例においては、コンテンツ送信データ400内に含まれるコンテンツ部分の各々は、MBMSサービス・バンドルに属するそれぞれ異なるMBMSサービスに対応するようにしても良い。例えば、コンテンツ部分402-1は、MBMSサービス・バンドル内の第１のMBMSサービスに対応するようにしても良く、コンテンツ部分402-2は、MBMSサービス・バンドル内の第２のMBMSサービスに対応するようにしても良い。幾つかのそのような実施例においては、選択コンポーネント122-4は、第１のMBMSサービスおよび／または第２のMBMSサービスに対応するコンテンツ・バージョンを選択し、受信することが可能であり、通信コンポーネント122-2は、選択されたMBMSサービスに対応するコンテンツ部分の中からコンテンツ・セグメントを抽出することが可能である。例示的な一実施例においては、選択コンポーネント122-4は、コンテンツ部分402-1に対応すると共に第１のMBMSサービスにも対応するコンテンツ・バージョンを選択し、受信することが可能であり、通信コンポーネント122-2は、第１のMBMSサービスすなわち第１のコンテンツ・バージョンに対応するコンテンツ部分402-1の中からコンテンツ・セグメント403-1、403-2および403-3を抽出することが可能である。本発明に係る複数の実施例は、このコンテキストの中に制限されるものではない。
【００４５】
ここに含まれているのは、本明細書中に開示されたアーキテクチャーの新規な技術的側面を実行するための典型的な方法を表している一組のロジック・フローである。一方、説明を簡単にする目的のために、ここに示された１つ以上の方法は一連の処理動作として図示され、記述され、ここで示される方法が、一連の処理動作を実行する際の特定の実行順序によって制限されないことを当業者は理解し認識するだろう。上述した方法に従って実施される処理動作の中の幾つかは、ここで図示され説明される実行順序とは異なる実行順序で実行されても良く、他の一つ以上の処理動作と同時並列的に実行されても良い。例えば、上述した方法の一つは、例えば状態遷移図のような相互に関係付けられる一連の状態あるいは一連の事象として代替的に表されることが可能であることを当業者は理解し、認識するだろう。加えて、新規な実装形態を実現するために、上述した方法の一つに関して図示された処理動作のうち、必ずしも全ての処理動作が必須とされる訳ではない。
【００４６】
上述したロジック・フローはソフトウェア、ファームウェアおよび／またはハードウェアの中において実装されることが可能である。ソフトウェアやファームウェアとして実装される実施例においては、ロジック・フローは、コンピューター読み取り可能な記録媒体あるいは機械読み出し可能な記録媒体（光学記憶装置、磁気記憶装置または半導体記憶装置など）の上に格納され、コンピューター実行可能な命令コードによって実装されることが可能である。本発明に係る複数の実施例は、このコンテキストの中に制限されるものではない。
【００４７】
図５は、一つのロジック・フロー500の実施例を図示する。ロジック・フロー500は、例えば装置100に関して上述したように、本明細書中において記述される１つ以上の実施例に従って実行される処理動作のうちの幾つか又は全てを表すことが可能である。より具体的には、ロジック・フロー500は、通信コンポーネント122-1、対応関係処理コンポーネント122-2、コネクション測定コンポーネント122-3、選択コンポーネント122-4および／または適応化コンポーネント122-5によって実装されることが可能である。
【００４８】
図５において図解される実施例においては、ロジック・フロー500はブロック502に進み、記述セグメントおよび対応関係セグメントを含む送信データを受信することが可能である。例えば、図１に示す装置100は、通信コンポーネント122-1によって、記述セグメント111および対応関係セグメント113を含む送信データ110を受信することが可能である。幾つかの実施例では、記述セグメントは、複数のコンテンツ・バージョンの特性を識別することが可能である。例えば、図１に示す記述セグメント111は、記述部分112-bを含むことが可能であり、それらは、複数のコンテンツ・バージョンの特性を識別することが可能である。本発明に係る様々な実施例では、対応関係セグメントは複数のコンテンツ・バージョンに対応する複数のマルチキャスト・コンテンツ・ストリームを識別することが可能である。例えば、図１に示す対応関係セグメント113は、複数の対応関係部分114-cを含むことが可能であり、それらは、記述部分112-bによって記述された複数のコンテンツ・バージョンに対応する複数のマルチキャスト・コンテンツ・ストリームを識別することが可能である。ロジック・フロー500は、ブロック504に進み、対応関係セグメントに基づいて複数のマルチキャスト・コンテンツ・ストリームを決定することが可能である。例えば、図１に示す対応関係処理コンポーネント122-2は、複数のマルチキャスト・コンテンツ・ストリームを識別するために対応関係部分114-cを処理することが可能である。ロジック・フロー500はブロック506に進み、記述セグメント中の情報に基づいた処理を行うために、複数のマルチキャスト・コンテンツ・ストリームの中の１つ以上を選択し、受信することが可能である。例えば、図１の選択コンポーネント122-4は、記述部分112-bの中で識別される特性に基づいて、対応関係処理コンポーネント122-2によって決定された複数のマルチキャスト・コンテンツ・ストリームのうちの１つ以上を選択することが可能である。ロジック・フロー500は、ブロック508に進み、記述セグメントの中で識別された特性に基づいた受信とそれに続く処理のために、複数のマルチキャスト・コンテンツ・ストリームの間で適応的に切り替えを行うことが可能である。例えば、図１に示す適応化コンポーネント122-5は、記述部分112-bの中で識別された特性に基づいて、対応関係処理コンポーネント122-2によって決定された複数のマルチキャスト・コンテンツ・ストリームの間で適応的に切り替えを行うことが可能である。本発明に係る複数の実施例は、上述した具体例に制限されるものではない。
【００４９】
図６は、本発明に係る記憶媒体600の実施例を図示する。記憶媒体600は１個の製造品を含むことが可能である。１つの実施例では、記憶媒体600は、光学記憶装置、磁気記憶装置または半導体記憶装置などのような、任意のコンピューター読取り可能な記録媒体あるいは機械読み出し可能な記録媒体も含むことが可能である。記憶媒体は、ロジック・フロー500を実装する命令コードのような様々なタイプのコンピューター実行可能な命令コードを格納することが可能である。コンピューター読取り可能な記録媒体あるいは機械読み出し可能な記録媒体の具体例には、電子データを格納することが可能な任意の有形的媒体が含まれることが可能であり、当該有形的媒体には、揮発性メモリまたは不揮発性メモリ、着脱可能または着脱不可能なメモリ、消去可能又は消去不可能なメモリ、書き込み可能または彩度の書き込みが可能なメモリなどが含まれ得る。コンピューター実行可能な命令コードの具体例には、ソース・コード、コンパイルされたコード、インタープリターで解釈実行されたコード、実行可能なコード、静的なコード、動的なコード、オブジェクト指向型コード、視覚的コードなどのような任意の適切なタイプのコードが含まれ得る。本発明に係る複数の実施例は、このコンテキストの中に制限されるものではない。
【００５０】
図7は、広帯域無線アクセス・ネットワークで使用される装置700の実施例を図示している。装置700は例えば、装置100、記憶媒体600および／または論理回路730を実装することが可能である。
論理回路730は、装置100用に記述された処理動作を行なうための物理的な回路を含むことが可能である。図７に示されるように、本発明に係る実施例はこの構成態様に制限されていないが、装置700は無線インターフェース710、ベースバンド回路720およびコンピューティング・プラットフォーム730を含むことが可能である。
【００５１】
装置700は、単一の装置内の全体構成として、装置100、記憶媒体600および／または単一のコンピューティング・エンティティ内の論理回路730に関する構造および／または処理動作のうちの幾つかあるいは全てを実装することが可能である。代替的に、装置700は、分散型システム・アーキテクチャー（例えば、クライアントサーバ・アーキテクチャー、３層アーキテクチャー、NＮ層アーキテクチャー、密結合型またはクラスタ型のアーキテクチャー、ピア・ツー・ピア・アーキテクチャー、マスター・スレーブ型アーキテクチャー、共有データベース・アーキテクチャーおよびその他のタイプの分散型システムなど）を使用して、複数のコンピューティング・エンティティに跨る形で、装置100、記憶媒体600および／または論理回路730に関する構造および／または処理動作の複数の構成部分を分散配置することが可能である。本発明に係る複数の実施例は、このコンテキストの中に制限されるものではない。
【００５２】
１つの実施例においては、無線インターフェース710は、コンポーネントあるいは単一のキャリアおよび／または多重キャリアの変調された信号（このような信号には例えば、相補的符号キーイング（CCK）および／または直交周波数分割多重（OFDM）シンボル等が含まれる）を送受信するように適合された複数のコンポーネントの組み合わせを含むことが可能であるが、本発明に係る実施例は、如何なる特定の無線インターフェースや変調方式にも制限されるものではない。無線インターフェース710は例えば、受信機712、送信機716および／または周波数合成器714を含むことが可能である。
無線インターフェース710はバイアス制御回路、水晶発振器および／または１つ以上のアンテナ7l8-fを含むことが可能である。さらに別の実施例では、要望に応じて、無線インターフェース710は外部電圧制御発振機（ＶＣＯ）、表面弾性波フィルタ、中間周波数（ＩＦ）フィルタおよび／またはＲＦフィルタを使用することが可能である。実現可能なＲＦインタフェース設計の多様性により、余計な拡張する記述は省略される。
【００５３】
ベースバンド回路720は、無線インターフェース710と通信することにより信号を送受信することが可能であり、例えば、受信信号を周波数ダウンコンバート処理するためにアナログ・ディジタル変換器722を含むと共に、送信信号を周波数アップコンバート処理するためにディジタル・アナログ変換器724を含むことが可能である。さらに、ベースバンド回路720は、受信信号／送信信号のそれぞれに関する物理（PHY）リンク層レベルの処理のためのベースバンド処理回路すなわち物理層（PHY）処理回路756を含むことが可能である。ベースバンド回路720は、例えば、ＭＡＣ（メディア・アクセス制御）／データリンク層レベルの処理のための処理回路728を含むことが可能である。ベースバンド回路720は、例えば１つ以上のインターフェース734を経由するなどして処理回路728と通信するためのメモリ・コントローラ732および／またはコンピューティング・プラットフォーム730を含むことが可能である。
【００５４】
幾つかの実施例では、PHY処理回路726はパケット600のような通信フレームを構成したり分解したりするために、バッファ・メモリーのような付属回路類と連携するフレーム構成／検知モジュールを含むことが可能である。追加的に又は代替的に、MAC処理回路728は、これらの機能の幾つかに関して処理を共有するか、あるいはPHY処理回路726と無関係にこれらの処理過程を実行することが可能である。幾つかの実施例では、MAC処理およびPHY処理は単一の回路の中に統合されることが可能である。
【００５５】
コンピューティング・プラットフォーム730は装置700のためにコンピューティング機能を提供することが可能である。図に示されるように、コンピューティング・プラットフォーム730は処理コンポーネント740を含むことが可能である。ベースバンド回路720に追加する形で又はベースバンド回路720の代替物として、装置700は、処理コンポーネント730を使用して、装置100、記憶媒体600および論理回路730のための処理動作あるいはロジックを実行することが可能である。処理コンポーネント730（またはPHY  726および／またはMAC  728）は、様々なハードウェア要素、ソフトウェア要素あるいは両者の組み合わせを含むことが可能である。ハードウェア要素の具体例は、デバイスおよび論理回路、コンポーネント、プロセッサー、マイクロプロセッサー、回路、プロセッサー回路（例えばプロセッサー回路120）、回路素子（例えばトランジスター、抵抗器、コンデンサー、誘導コイルなど）、集積回路、特定用途向け集積回路（ASIC）、プログラム可能論理回路（PLD）、デジタル信号プロセサ（DSP）、フィールド・プログラマブル・ゲート・アレイ（FPGA）、メモリ・ユニット、論理ゲート、レジスタ回路、半導体デバイス、チップ、マイクロチップ、チップセットなどを含むことが可能である。ソフトウェア要素の具体例は、ソフトウェア・コンポーネントおよびプログラム、アプリケーション、コンピュータ・プログラム、アプリケーション・プログラム、システム・プログラム、ソフトウェア開発プログラム、機械プログラム、オペレーティング・システム・ソフトウェア、ミドルウェア、ファームウェア、ソフトウェア・モジュール、ルーチン、サブルーチン、関数、方法、プロシージャ、ソフトウェア・インタフェース、アプリケーション・プログラミング・インターフェース（ＡＰＩ）、命令セット、コンピューティング・コード、コンピューター命令コード、コード・セグメント、コンピューター・コード・セグメント、ワード、値、シンボルあるいはそれらの任意の組み合わせを含むことが可能である。本発明に係る実施例がハードウェア要素および／またはソフトウェア要素の何れを使用して実装されるかを決定することは、所与の実装形態における要望に応じて、所望される計算速度、電力レベル、耐熱性、処理サイクル・バジェット、入力データ・レート、出力データ・レート、メモリー・リソース、データバス速度およびその他の設計上または性能上の制約などのような任意の個数の要因に従って変化し得る。
【００５６】
コンピューティング・プラットフォーム730はさらにその他のプラットフォーム・コンポーネント750を含むことが可能である。その他のプラットフォーム・コンポーネント750は、１台以上のプロセッサー、マルチコア・プロセッサー、コプロセッサ、メモリ・ユニット、チップセット、コントローラー、周辺装置、インターフェース、共振回路、タイミング装置、ビデオ・カード、オーディオ・カード、マルチメディア入出力（Ｉ／Ｏ）コンポーネント（例えばデジタル・ディスプレイ装置）、電源などのような共通のコンピューティング機能要素を含むことが可能である。メモリ・ユニットの具体例は、１つ以上の高速メモリ・ユニットの形で様々なタイプのコンピューター可読記憶媒体および機械可読記憶媒体を含むことが可能であり、これらは以下のものだけに限定はされないが、読み出し専用メモリ（ROM）およびランダム・アクセス・メモリー（RAM）、ダイナミックRAM（DRAM）、ダブル・データ・レートDRAM（DDRAM）、同期型DRAM（SDRAM）、スタティックRAM（SRAM）、プログラマブルROM（PROM）、消去可能プログラマブルROM（EPROM）、電気的消去可能プログラマブルROM（EEPROM）、フラッシュ・メモリー、強誘電体ポリマー・メモリのようなポリマー・メモリ、オブシンスキー効果メモリ、相変化メモリあるいは強誘電体メモリ、SONOS（シリコン-酸化物-窒化物-酸化物-シリコン）メモリ、磁気カードや光カード、RAID（独立ディスク冗長アレイ）ドライブのようなアレイ構成されたドライブ装置、半導体メモリ素子（例えばUSBメモリ、半導体メモリ・ドライブ（SSD）および情報を記憶するのに適したその他のタイプの記憶媒体等を含んでいる。。
【００５７】
装置700は、例えばウルトラ・モバイル装置、モバイル装置、固定された装置、Ｍ２Ｍ（マシン・ツー・マシン）装置、携帯情報端末（PDA）、モバイル・コンピューティング装置、スマートフォン、電話、デジタル電話、携帯電話、ユーザ機器、電子書籍リーダ、ハンドセット、一方向ページャー、２ウェイ・ページャー、メッセージング・デバイス、コンピューター、パソコン（ＰＣ）、デスクトップ型コンピュータ、ラップトップ型コンピューター、ノート型コンピュータ、ネットブック型コンピューター、ハンドヘルド型コンピューター、タブレット型コンピューター、サーバ機器、サーバ・アレイやサーバ・ファーム、ウェブ・サーバ、ネットワーク・サーバー、インターネット・サーバ、ワークステーション、ミニ・コンピューター、メインフレーム・コンピューター、スーパー・コンピューター、ネットワーク・アプライアンス、ウェブ・アプライアンス、分散コンピューティング・システム、マルチプロセッサ・システム、プロセッサーに基づくシステム、家電製品、プログラム可能家電製品、ゲーム装置、テレビ、デジタル・テレビ、セットトップ・ボックス、無線アクセス・ポイント、基地局、ノードＢ、加入者局、モバイル加入者センター、無線網コントローラー、ルーター、ハブ、ゲートウエイ、ブリッジ、スイッチ、機械、又はこれらの組み合わせとすることが可能である。従って、要望に応じた適切な形で、本明細書中に記述された装置700の機能および／または特定の構成は、装置700の様々な実施例に含まれることも可能であるし、省略されることも可能である。幾つかの実施例では、装置700は、3GPP  LTE標準化仕様やWMANのためのIEEE  802.16標準化仕様または本明細書中で引用されたその他の広帯域無線ネットワークの１つ以上に関連したプロトコルや周波数と互換性をもつように構成されることが可能であるが、本発明に係る実施例はこの点に関して制限されるものではない。
【００５８】
装置700の実施例はＳＩＳＯ（単一入力・単一出力）アーキテクチャーを使用して実装されることが可能である。しかしながら、ある実装形態は、ビームフォーミングを実行するための適応アンテナ技術あるいはＳＤＭＡ（空間分割多元接続）を使用することによって、および／またはＭＩＭＯ通信技術を使用することによって、送信および／または受信のために多数のアンテナ（例えばアンテナ718-f）を含むことが可能である。
【００５９】
装置700のコンポーネントおよび機能的特徴は、個別の回路、特定用途向け集積回路（ASIC）、論理ゲートおよび／またはシングルチップ・アーキテクチャーの任意の組み合わせを使用して実装されることが可能である。さらに、装置700の機能的特徴は、適切な場合においては、マイクロコントローラ、プログラマブル・ロジック・アレイおよび／またはマイクロ・プロセッサー又はこれらの組み合わせを使用して実装されることが可能である。本明細書中においては、ハードウェア、ファームウェアおよび／またはソフトウェア要素は、総称的に又は個別的に「ロジック」あるいは「回路」と呼ばれる点に留意されたい。
【００６０】
図７のブロック図の中で示される典型的な装置700は、複数の実現可能な実装形態の中の１つの機能面を記述する具体例を表わすことが可能である点が認識されるべきである。従って、添付図面の中に描かれたブロック機能の分割、省略あるいは包含は、本発明に係る実施例においてこれらの機能を実装するためのハードウェア構成要素、回路、ソフトウェアおよび／または要素は、必ず分割され、省略され、含包され無くてはならないことを意図しない。
【００６１】
図８は、広帯域無線アクセス・システム800の実施例を図示している。図８に示されるように、広帯域無線アクセス・システム800はインターネット・プロトコル（ＩＰ）タイプのネットワークとすることが可能であり、インターネット型ネットワーク810や同様のネットワークを含み、モバイルの無線アクセスおよび／またはインターネット810への固定無線アクセスをサポートすることができる。１つ以上の実施例においては、広帯域無線アクセス・システム800は、3GPP  LTE仕様書および／またはIEEE  802.16標準化仕様の中の１つ以上と互換性のあるシステムのような直交周波数分割多元接続（OFDMA）に基づく任意のタイプの無線ネットワークを含むことが可能であるが、本明細書に添付された請求項に係る発明の主題の範囲はこの点に関して限定されない。
【００６２】
例示的な広帯域無線アクセス・システム800においては、ＡＳＮ（アクセス・サービス・ネットワーク）814および818は、１つ以上の固定された装置816とインターネット110との間において、あるいは１つ以上のモバイル装置822とインターネット110との間において無線通信サービスを提供するために、ＢＳ（基地局あるいはeNodeB）814および820とそれぞれ結合することが可能である。固定された装置816およびモバイル装置822の一例は装置700であり、固定された装置816は、装置700の静止型のバージョンを含み、モバイル装置822は、装置700のモバイル型のバージョンを含む。ＡＳＮ812は、広帯域無線アクセス・システム800上の１つ以上の物理的エンティティへのネットワーク機能のマッピングを定義することが可能なプロファイルを実装することが可能である。装置700に関して記述されたように、基地局（あるいはeNodeB）814および820は、固定された装置816およびモバイル装置822とのＲＦ通信を実現するために、無線機器を含むことが可能であり、例えば、3GPP  LTE標準化仕様あるいはIEEE  802.16標準化仕様と互換性のあるPHY層およびMAC層の機器を含むことが可能である。基地局（あるいはeNodeB）814および820はさらに、それぞれＡＳＮ812、818を介してインターネット810に接続するためにＩＰバックプレーンをそれぞれ含むが、本明細書に添付された請求項に係る発明の主題の範囲はこの点に関して限定されない。
【００６３】
広帯域無線アクセス・システム800はさらに、１つ以上のネットワーク機能を提供することができる訪問された（ＣＳＮ）接続サービス網824を含み、上述した１つ以上のネットワーク機能は、プロキシー型および／または中継型の機能（例えばＡＡＡ（認証、オーサライゼーション、課金）機能、ＤＨＣＰ（動的ホスト構成プロトコル）機能、ドメインネーム・サービスの制御機能やこれらと同様なもの、公衆交換電話網（PSTN）ゲートウェイやＶｏＩＰ（voice  over  internet  protocol）ゲートウェイなどのドメイン・ゲートウェイ、および／またはインターネット・プロトコル（ＩＰ）タイプのサーバ機能などを含むがこれらに限定されない。しかしながら、これらは、訪問されたＣＳＮ824あるいはホームＣＳＮ826によって提供されることができる機能のタイプの単なる具体例であり、本明細書に添付された請求項に係る発明の主題の範囲はこの点に関して限定されない。訪問されたＣＳＮ124は、訪問されたＣＳＮ824が固定された装置816あるいはモバイル装置822の正規の通信サービス提供事業者の一部でない場合における訪問されたＣＳＮを指して言うことが可能であり、例えば、固定された装置816あるいはモバイル装置822がそれぞれのホームＣＳＮ826から離れた別のネットワークにローミングしている場合、または訪問されたＣＳＮ824が固定された装置816あるいはモバイル装置822の正規の通信サービス提供事業者の一部ではあるけれども、広帯域無線アクセス・システム800が、固定された装置816あるいはモバイル装置822の主要拠点またはホーム拠点ではない別の場所あるいは状態にある場合などがこれに該当する。
【００６４】
基地局814、820およびＡＳＮ812、818をそれぞれ経由して、およびホームＣＳＮ826を経由してインターネット810への広帯域アクセスを一般家庭顧客または企業顧客に提供するために、固定された装置816は、基地局814、820のいずれか一方又は両者の範囲内にある任意の場所（例えば、一般家庭や事業所の付近など）に位置することが可能である。一般的には、固定された装置816は静止している位置に配置されるけれども、それは必要に応じて別の異なる位置に移動されることも可能である点は注目に値する。例えば、モバイル装置822が基地局814、820のいずれか一方又は両者の範囲内にある場合、モバイル装置822は１つ以上の位置において利用されることが可能である。
【００６５】
本発明に係る１つ以上の実施例に従うならば、広帯域無線アクセス・システム800にネットワーク管理機能を提供し、広帯域無線アクセス・システム800の機能エンティティ同士の間のインターフェースを提供するために、網運用支援システム（ＯＳＳ）828が、広帯域無線アクセス・システム800の一部として設けられることが可能である。図８に示す広帯域無線アクセス・システム800は、広帯域無線アクセス・システム800の幾つかのコンポーネントを図示するための無線ネットワークの単なる１つの例示的タイプであり、本明細書に添付された請求項に係る発明の主題の範囲はこの点に関して限定されない。
【００６６】
以下の具体例は、本発明に係るさらなる実施例と関係する。
【００６７】
本発明に係る方法は、プロセッサー回路を含むコンピューティング装置において、記述セグメントおよび対応関係セグメントを含むデータ送信を受信するステップ、対応関係セグメントに基づいてメディア・コンテンツのそれぞれ異なるバージョンを表わす複数のマルチキャスト・コンテンツ・ストリームを識別するステップ、および、プロセッサー回路によって記述セグメントの中で識別された特性に基づいて、後続の処理のために複数のマルチキャスト・コンテンツ・ストリームの中の一つ以上を選択するステップを含むことが可能である。
【００６８】
そのような方法は、マルチキャスト・サーバーから複数のマルチキャスト・コンテンツ・ストリームの１つ以上を受信することを含むことが可能である。
【００６９】
そのような方法は、出力装置上において、１つ以上の選択されたマルチキャスト・コンテンツ・ストリームの中からメディア・コンテンツをレンダリング処理することを含むことが可能である。
【００７０】
そのような方法は、プロセッサー回路によって、記述セグメントの中で識別された特性に基づいて受信と処理を行うのために、複数のマルチキャスト・コンテンツ・ストリームの間で適応的に切り替えを行うステップを含むことが可能である。
【００７１】
そのような方法によれば、複数のマルチキャスト・コンテンツ・ストリームの各々は、複数の  ＭＢＭＳ（マルチメディア・ブロードキャスト・マルチキャスト・サービス）サービスの中の一つを含むことが可能である。
【００７２】
そのような方法によれば、複数のMBMSサービスは、MBMSサービス・バンドル内に含まれることが可能である。
【００７３】
そのような方法によれば、コンピューティング装置は、ＤＡＳＨ（ハイパーテキスト転送プロトコル上の動的な適応性のあるストリーミング）クライアントを含むことが可能である。
【００７４】
そのような方法によれば、データ伝送は、対応関係セグメントを表わすＵＳＤ（ユーザ・サービス記述）送信を含むことが可能である。
【００７５】
そのような方法によれば、記述セグメントは、ＵＳＤ送信内のメディア・プレゼンテーション記述（ＭＰＤ）メタデータ・ファイルを含むことが可能である。
【００７６】
そのような方法は、複数のFLUTE（file  delivery  over  unidirectional  transport）セッションを確立する動作を含むことが可能であり、複数のFLUTEセッションの各々は、複数のマルチキャスト・コンテンツ・ストリームの中の１つに対応する。
【００７７】
そのような方法によれば、複数のマルチキャスト・コンテンツ・ストリームおよび対応するMBMSサービスの各々に関して、対応関係セグメントは、複数のFLUTEセッションの中の対応する１つを識別する情報を含むことが可能である。
【００７８】
そのような方法は選択されたマルチキャスト・コンテンツ・ストリームを含むMBMSサービスに対応する１つ以上のFLUTEセッションを決定する動作を含むことが可能である。
【００７９】
そのような方法は、決定されたFLUTEセッションに対応するMBMSサービスの中における選択されたマルチキャスト・コンテンツ・ストリームを受信する動作を含むことが可能である。
【００８０】
そのような方法は、複数のマルチキャスト・コンテンツ・ストリームの中の１つ以上と対応するコンテンツ・バージョンのフォーマット又は基底ビット・レートに基づいて、複数のマルチキャスト・コンテンツ・ストリームの中の１つ以上を選択し、受信する動作を含むことが可能である。
【００８１】
そのような方法は、複数のマルチキャスト・コンテンツ・ストリームの中の１つ以上の送信データに関連したチャネル品質又は実効的なビット・レートに基づいて、複数のマルチキャスト・コンテンツ・ストリームの中の１つ以上を選択し、受信する動作を含むことが可能である。
【００８２】
そのような方法によれば、複数のマルチキャスト・コンテンツ・ストリームおよびMBMSサービスの各々は、ＳＶＣ（スケーラブルなビデオ符号化）ビット・ストリーム中の複数のレイヤのうちの１つに対応するようにしても良い。
【００８３】
そのような方法によれば、複数のマルチキャスト・コンテンツ・ストリームおよびMBMSサービスの各々は、ＭＶＣ（多重ビュー・ビデオ符号化）ビット・ストリーム中の複数のビューのうちの１つに対応するようにしても良い。
【００８４】
本発明に係る装置は、プロセッサー回路に加えて、当該プロセッサー回路による実行のために、記述区画および対応関係区画を含むマルチキャスト送信データを受信するように構成された通信コンポーネントを含み、さらに、プロセッサー回路による実行のために、複数のマルチキャスト・コンテンツ・ストリームを含むマルチキャスト・コンテンツ・ストリーム・バンドルを対応関係区画に基づいて識別するように構成された対応関係処理コンポーネントであって、複数のマルチキャスト・コンテンツ・ストリームの各々は、複数のコンテンツ・バージョンのうちの１つに対応する、対応関係処理コンポーネント、および、プロセッサー回路による実行のために、記述区画中で識別された特性に基づいて、後続の処理のために、複数のマルチキャスト・コンテンツ・ストリームの中の少なくとも１つを選択するように構成された選択コンポーネントを含むことが可能である。
【００８５】
そのような装置に関して、選択コンポーネントはプロセッサー回路による実行のために、マルチキャスト・コンテンツの提供者側装置から複数のマルチキャスト・コンテンツ・ストリームの中の少なくとも１つを受信するように構成されることが可能である。
【００８６】
そのような装置に関して、当該処理は、メディア・コンテンツのレンダリング処理および再生処理を含むことが可能である。
【００８７】
そのような装置は、プロセッサー回路による実行のために、記述区画中で識別された特性に基づいて受信とその後の処理を行うために、複数のマルチキャスト・コンテンツ・ストリームの間で適応的に切り替えを行うように構成された適応化コンポーネントを含むことが可能である。
【００８８】
そのような装置に関して、複数のマルチキャスト・コンテンツ・ストリームの各々は、複数のＭＢＭＳ（マルチメディア・ブロードキャスト・マルチキャスト・サービス）サービスのうちの１つを含むことが可能である。
【００８９】
そのような装置に関して、マルチキャスト・コンテンツ・ストリーム・バンドルは一つのMBMSサービス・バンドルを具備することが可能である。
【００９０】
そのような装置は、ＤＡＳＨ（ハイパーテキスト転送プロトコル上の動的な適応性のあるストリーミング）クライアントを含むことが可能である。
【００９１】
そのような装置に関して、マルチキャスト送信は、対応関係区画を表わすユーザ・サービス記述（USD）送信を含むことが可能である。
【００９２】
そのような装置に関して、記述区画は、ＵＳＤ送信内のメディア・プレゼンテーション記述（ＭＰＤ）メタデータ・ファイルを含むことが可能である。
【００９３】
そのような装置に関して、通信コンポーネントはプロセッサー回路による実行のために、複数のFLUTE  (file  delivery  over  unidirectional  transport)セッションを確立するように構成されることが可能であり、複数のFLUTEセッションの各々は、複数のマルチキャスト・コンテンツ・ストリームのうちの１つに対応し、対応関係区画は、複数のマルチキャスト・コンテンツ・ストリームおよび対応するMBMSサービスの各々に関して、複数のFLUTEセッションの中の対応する１つを識別する情報を含む。
【００９４】
そのような装置に関して、対応関係処理コンポーネントは、プロセッサー回路による実行のために、選択されたマルチキャスト・コンテンツ・ストリームを含むMBMSサービスに対応する１つ以上のFLUTEセッションを決定するように構成されることが可能である。
【００９５】
そのような装置に関して、通信コンポーネントは、プロセッサー回路による実行のために、上記決定されたFLUTEセッションに対応するMBMSサービスの中における選択されたマルチキャスト・コンテンツ・ストリームを受信するように構成されることが可能である。
【００９６】
そのような装置に関して、選択コンポーネントは、プロセッサー回路による実行のために、複数のマルチキャスト・コンテンツ・ストリームの中の１つ以上と対応するコンテンツ・バージョンのフォーマット又は基底ビット・レートに基づいて、または、複数のマルチキャスト・コンテンツ・ストリームの中の１つ以上の送信データに関連したチャネル品質又は実効的なビット・レートに基づいて、複数のマルチキャスト・コンテンツ・ストリームの中の１つ以上を選択し、受信するように構成されることが可能である。
【００９７】
そのような装置に関して、複数のマルチキャスト・コンテンツ・ストリームおよびMBMSサービスの各々は、ＳＶＣ（スケーラブルなビデオ符号化）ビット・ストリーム中の複数のレイヤのうちの１つに対応するようにしても良い。  
そのような装置に関して、複数のマルチキャスト・コンテンツ・ストリームおよびMBMSサービスの各々は、ＭＶＣ（多重ビュー・ビデオ符号化）ビット・ストリーム中の複数のビューのうちの１つに対応するようにしても良い。
【００９８】
本発明に係る少なくとも１つの機械可読媒体は、コンピューティング装置上で実行されることに応じて、以下の処理動作を実施する複数の命令コードを含むことが可能であり、当該命令コードは、コンピューティング装置に記述区画および対応関係区画を含むユーザ・サービス記述（ＵＳＤ）送信を受信させ、対応関係区画を使用して識別された複数のコンテンツ・ストリームの中から少なくとも１つのコンテンツ・ストリームを選択させ、複数のコンテンツ・ストリームの各々は、対応するＭＢＭＳ（マルチメディア・ブロードキャスト・マルチキャスト・サービス）サービスを介して利用可能な異なるマルチキャスト・コンテンツ・バージョンに関連したマルチキャスト・コンテンツ・ストリームを含み、少なくとも１つのコンテンツ・ストリームは記述区画の中で指定された属性に従って選択される。
【００９９】
そのような少なくとも一つの機械可読媒体は、コンピューティング装置上で実行されることに応じて、以下の処理動作を実施する複数の命令コードを含むことが可能であり、当該命令コードは、少なくとも１つの選択されたコンテンツ・ストリームに対応する１つ以上のFLUTE  (file  delivery  over  unidirectional  transport)セッションをコンピューティング装置に確立させる。
【０１００】
そのような少なくとも一つの機械可読媒体は、コンピューティング装置上で実行されることに応じて、以下の処理動作を実施する複数の命令コードを含むことが可能であり、当該命令コードは、コンピューティング装置に、１つ以上のFLUTEセッションを使用して少なくとも１つの選択されたコンテンツ・ストリームを受信させる。
【０１０１】
そのような少なくとも一つの機械可読媒体に関して、複数のマルチキャスト・コンテンツ・ストリームおよびMBMSサービスの各々は、ＳＶＣ（スケーラブルなビデオ符号化）ビット・ストリーム中の複数のレイヤのうちの１つに対応するようにしても良い。  
そのような少なくとも一つの機械可読媒体に関して、複数のマルチキャスト・コンテンツ・ストリームおよびMBMSサービスの各々は、ＭＶＣ（多重ビュー・ビデオ符号化）ビット・ストリーム中の複数のビューのうちの１つに対応するようにしても良い。
【０１０２】
そのような少なくとも一つの機械可読媒体に関して、複数のコンテンツ・ストリームは、一つのMBMSサービス・バンドル内において複数のMBMSサービスを具備することが可能である。
【０１０３】
そのような少なくとも一つの機械可読媒体は、コンピューティング装置上で実行されることに応じて、以下の処理動作を実施する複数の命令コードを含むことが可能であり、当該命令コードは、MBMSサーバから、少なくとも１つの選択されたコンテンツ・ストリームをコンピューティング装置に受信させる。
【０１０４】
そのような少なくとも一つの機械可読媒体は、コンピューティング装置上で実行されることに応じて、以下の処理動作を実施する複数の命令コードを含むことが可能であり、当該命令コードは、コンピューティング装置に、少なくとも１つの選択されたコンテンツ・ストリームに対応するマルチキャスト・コンテンツ・バージョンをレンダリング処理させる。
【０１０５】
本発明に係るシステムはプロセッサーおよび当該プロセッサーと通信可能な態様で結合したオーディオ装置を含むことが可能であり、当該プロセッサーによる実行のために、記述区画および対応関係区画を含むマルチキャスト送信データを受信するように構成された通信コンポーネントを含み、さらに、当該プロセッサーによる実行のために、複数のＭＢＭＳ（マルチメディア・ブロードキャスト・マルチキャスト・サービス）コンテンツ・ストリームを対応関係区画に基づいて識別するように構成された対応関係処理コンポーネントであって、複数のＭＢＭＳコンテンツ・ストリームの各々は、複数のコンテンツ・バージョンのうちの１つに対応する、対応関係処理コンポーネント、および、当該プロセッサーによる実行のために、記述区画中で識別された特性に基づいて、後続の処理のために、複数のＭＢＭＳコンテンツ・ストリームの中の少なくとも１つを選択するように構成された選択コンポーネントを含むことが可能である。
【０１０６】
そのようなシステムに関して、選択コンポーネントは、当該プロセッサーによる実行のために、複数のＭＢＭＳコンテンツ・ストリームの中の１つ以上と対応するコンテンツ・バージョンのフォーマット又は基底ビット・レートに基づいて、または、複数のＭＢＭＳコンテンツ・ストリームの中の１つ以上の送信データに関連したチャネル品質又は実効的なビット・レートに基づいて、複数のＭＢＭＳコンテンツ・ストリームの中の１つ以上を選択し、受信するように構成されることが可能である。
【０１０７】
そのようなシステムは、当該プロセッサーによる実行のために、記述区画中で識別された特性に基づいて受信とその後の処理のために、複数のＭＢＭＳコンテンツ・ストリームの間で適応的に切り替えを行うように構成された適応化コンポーネントを含むことが可能である。
【０１０８】
そのようなシステムに関して、通信コンポーネントは当該プロセッサーによる実行のために、複数のFLUTE  (file  delivery  over  unidirectional  transport)セッションを確立するように構成されることが可能であり、複数のFLUTEセッションの各々は、複数のＭＢＭＳコンテンツ・ストリームのうちの１つに対応し、対応関係区画は、複数のＭＢＭＳコンテンツ・ストリームおよび対応するMBMSサービスの各々に関して、複数のFLUTEセッションの中の対応する１つを識別する情報を含む。
【０１０９】
そのようなシステムに関して、通信コンポーネントは、プロセッサーによる実行のために、上記決定されたFLUTEセッションに対応する１つ以上のＭＢＭＳサービス中の少なくとも１つの選択されたＭＢＭＳコンテンツ・ストリームを受信するように構成されることが可能である。
【０１１０】
そのようなシステムに関して、複数のＭＢＭＳコンテンツ・ストリームが一つのＭＢＭＳサービス・バンドル内に含まれるようにすることが可能である。
そのようなシステムに関して、記述区画は、ユーザ・サービス記述（ＵＳＤ）送信内のメディア・プレゼンテーション記述（ＭＰＤ）ファイルを含むことが可能である。
【０１１１】
そのようなシステムは、ＤＡＳＨ（ハイパーテキスト転送プロトコル上の動的な適応性のあるストリーミング）クライアントを含むことが可能である。
【０１１２】
そのようなシステムに関して、複数のマルチキャスト・コンテンツ・ストリームおよびMBMSサービスの各々は、ＳＶＣ（スケーラブルなビデオ符号化）ビット・ストリーム中の複数のレイヤのうちの１つに対応するようにしても良い。  
そのようなシステムに関して、複数のマルチキャスト・コンテンツ・ストリームおよびMBMSサービスの各々は、ＭＶＣ（多重ビュー・ビデオ符号化）ビット・ストリーム中の複数のビューのうちの１つに対応するようにしても良い。
【０１１３】
本発明に係る幾つかの実施例は、それらの派生語と共に表現「１つの実施例」あるいは「一実施例」を使用して記述されることが可能である。これらの用語は、特別の特徴、構造あるいは実施例に関して記述された特性が少なくとも１つの実施例に含まれることを意味する。フレーズ「１つの実施例においては」が、本明細書中の様々な箇所に現れることは、その全てが必ずしも同じ実施例を指していることを意味しない。
【０１１４】
更に、以下の記述および／または請求項では、用語「結合されている」および／または「接続された」は、それらの派生語と共に使用されることが可能である。特定の実施例中において、表現「接続された」とは、２つ以上の要素が互いに直接的に物理的接触および／または電気的接触の状態にあることを示すために使用されることが可能である。表現「結合する」とは、２つ以上の要素が直接物理的なおよび／または電気接触にあることを意味することが可能である。しかしながら、「結合する」は２つ以上の要素が互いとの間で直接の接触状態にはないかもしれないが、それでもお互いに相手と協力可能であるおよび／または対話可能であることを意味することが可能である。例えば、「結合されている」は、２つ以上の要素が互いに接触してはいないが間接的に別の要素あるいは中間に介在する要素によってともに連結されることを意味することが可能である。
【０１１５】
さらに、用語「および／または」は、「および」を意味することが可能であり、「または」を意味することが可能であり、「排他的論理和」を意味することが可能であり、「一つ」または「全てではないがそのうちの幾つか」を意味することが可能であり、「両者いずれも」を意味することが可能であるが、本明細書に添付した請求項に係る発明の主題は、この点に関して限定されない。以下の記述および／または請求項において、用語「含む」および「具備する」はそれらの派生語と共に、互いに同意語として意図され、使用されることが可能である。
【０１１６】
読み手が技術的な開示の性質を速素早く確認することを可能にするために、本明細書には要約書が添付されることが強調される。それは、請求項の技術的範囲や意味を解釈したり限定したりするためには使用されないだろうという理解で提出される。さらに、先の詳細な記述において、本発明の開示を合理化する目的で、単一の実施例中で様々な特徴がグループ化にされることが理解されるだろう。本発明に係るこの開示方法は、特許請求された実施例がより多くの特徴を要求する意図を反映すると解釈するべきではなく、それは明らかに各請求項で詳述される。以下の請求項が反映するように、創造性のある主題は単一の示された実施例のすべての特徴未満にある。したがって、以下の請求項は、これによって詳細な記述に組み入れられ、各請求項は、個別の実施例として自己完結している。本明細書に添付された請求項において、用語「含んでいる」や「その中では」は、それぞれの用語の通常の英語の相当語として使用される「含む」や「そしてそこでは」を意味するものとしてそれぞれ用いられる。さらに、用語「第１の」、「第２の」、「第３の」などは、単にラベルとして使用され、それらの対象物に数の必須条件を課するようには意図されない。
【０１１７】
上に記述されたものは、示されたアーキテクチャーの例を含んでいる。それは、コンポーネントおよび／または方法論の考えられる全ての組み合わせについて網羅的に記述することは当然できないので、当業者は、さらに多くの組み合わせや置換が可能であることを自明のものとして認識するだろう。従って、新しいアーキテクチャーは、本明細書に添付された請求項の技術的範囲の中にあるような変更、修正および変化をすべて包含するように意図される。
【図１】
0006017589.tif 000002
【図２】
0006017589.tif 000003
【図３Ａ】
0006017589.tif 000004
【図３Ｂ】
0006017589.tif 000005
【図３Ｃ】
0006017589.tif 000006
【図３Ｄ】
0006017589.tif 000007
【図４】
0006017589.tif 000008
【図５】
0006017589.tif 000009
【図６】
0006017589.tif 000010
【図７】
0006017589.tif 000011
【図８】
0006017589.tif 000012